(57)【特許請求の範囲】
【請求項１】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着するためのニップ部を形成する一対の回転体と、前記定着部と入れ替えて装着可能な他の定着部と識別するための識別情報を示す識別部と、を備えた定着部と、
前記定着部でのジャムを検知するジャム検知部と、
前記ジャム検知部が検知したジャムの解消に伴い、記録材を前記ニップ部へ導入することにより前記定着部をクリーニングする処理を実行させるか否かの選択を促す表示を行う表示部と、
前記選択に応じて前記処理を実行するか否かを制御する制御部と、
前記ジャム検知部が検知したジャムの解消に伴い前記選択が行われたか否かを前記識別情報と対応付けて記憶する記憶部と、を有し、
前記記憶部に記憶されている情報が前記画像形成装置の本体に装着されている前記定着部に対して前記選択が行われていないことを示す場合、前記表示部は前記選択を促す表示を行うことを特徴とする画像形成装置。
【請求項２】
前記画像形成装置が記録材への画像形成を実行できる状態であることを操作者に報知する報知部と、を有し、
前記記憶部に記憶されている情報が前記画像形成装置の本体に装着されている前記定着部に対して前記選択が行われたことを示す場合、前記表示部は前記選択を促す表示を行うことなく、前記報知部は報知を行うことを特徴とする請求項１に記載の画像形成装置。
【請求項３】
前記画像形成装置が記録材への画像形成を実行できる状態であることを操作者に報知する報知部と、を有し、
前記記憶部に記憶されている情報が前記画像形成装置の本体に装着されている前記定着部に対して前記選択が行われていないことを示す場合、前記表示部は、前記報知部が報知を行う前に前記選択を促す表示を行うことを特徴とする請求項１又は２のいずれか１項に記載の画像形成装置。
【請求項４】
前記定着部が前記画像形成装置の本体に装着されたことを検知する装着検知部と、
前記記憶部に記憶されている情報が前記装着検知部により装着が検知された前記定着部に対して前記選択が行われていないことを示す場合、前記表示部は、前記報知部が報知を行う前に前記選択を促す表示を行うことを特徴とする請求項３に記載の画像形成装置。
【請求項５】
前記定着部を前記画像形成装置の本体から取り出すための開口を有する開口部を開閉する開閉部と、
前記開閉部が閉じられたことを検知する開閉検知部と、
を有し、
前記記憶部に記憶されている情報が前記画像形成装置の本体に装着されている前記定着部に対して前記選択が行われていないことを示す場合、前記表示部は、前記開閉検知部により前記開閉部が閉じられたことが検知されたことに伴い前記選択を促す表示を行うことを特徴とする請求項１乃至４のいずれか１項に記載の画像形成装置。
【請求項６】
前記画像形成装置を起動する電源スイッチを有し、
前記記憶部に記憶されている情報が前記画像形成装置の本体に装着されている前記定着部に対して前記選択が行われていないことを示す場合、前記表示部は、前記電源スイッチがオンになったことに伴い前記選択を促す表示を行うことを特徴とする請求項１乃至５のいずれか１項に記載の画像形成装置。
【請求項７】
前記表示部は、前記処理を実行させる場合に前記ニップ部へ導入する記録材の枚数の選択を促す表示を行うことを特徴とする請求項１乃至６のいずれか１項に記載の画像形成装置。
【請求項８】
前記制御部は、前記処理において前記ニップ部へ導入する記録材上に未定着トナー像を形成させないように前記画像形成部を制御することを特徴とする請求項１乃至７のいずれか１項に記載の画像形成装置。
【請求項９】
前記記憶部は、前記定着部に設けられた記憶部であることを特徴とする請求項１乃至８のいずれか１項に記載の画像形成装置。
【請求項１０】
前記識別部は前記記憶部と一体であり、前記記憶部は前記識別情報を記憶していることを特徴とする請求項９に記載の画像形成装置。
【請求項１１】
前記画像形成装置の本体に設けられ、前記ジャム検知部が検知したジャムの解消に伴い前記選択が行われたか否かを前記識別情報と対応付けて記憶する本体記憶部を有することを特徴とする請求項９又は１０のいずれか１項に記載の画像形成装置。
【請求項１２】
記録材に画像を形成する画像形成装置と、
前記画像形成装置と通信可能に接続し、情報を記憶する記憶装置と、
を有する画像形成システムであって、
前記画像形成装置は、
記録材に未定着トナー像を形成する画像形成部と、
前記画像形成装置の本体に着脱可能な定着部であって、前記画像形成部により形成された未定着トナー像を記録材に定着するためのニップ部を形成する一対の回転体と、前記定着部と入れ替えて装着可能な他の定着部と識別するための識別情報を示す識別部と、を備える定着部と、
前記定着部でのジャムを検知するジャム検知部と、
前記ジャム検知部が検知したジャムの解消に伴い、記録材を前記ニップ部へ導入することにより前記定着部をクリーニングする処理を実行させるか否かの選択を促す表示を行う表示部と、
前記選択に応じて前記処理を実行するか否かを制御する制御部と、
前記ジャム検知部が検知したジャムの解消に伴い前記選択が行われたか否かを前記識別情報と対応付けて前記記憶装置に記録する記録部と、
を有する画像形成装置であって、
前記記憶装置に記憶されている情報が前記画像形成装置の本体に装着されている前記定着部に対して前記選択が行われていないことを示す場合、前記表示部は前記選択を促す表示を行うことを特徴とする画像形成システム。
【発明の詳細な説明】
【技術分野】
【０００１】
本発明は、電子写真方式の画像形成装置、及び、電子写真方式の画像形成装置を有する画像形成システムに関する。
【背景技術】
【０００２】
電子写真方式の画像形成装置には、記録材に形成された未定着トナー像を記録材に定着する定着器（定着部）が設けられている。より高品質な成果物を得るために、定着する記録材のサイズや種類に応じて使用目的の異なる定着器を入れ替えて使用する方法が知られている。特許文献１では、定着器の識別情報を検出し、決定された印刷ジョブの仕様に対して適切でない定着器を認識した場合にユーザに知らせる方法が提案されている。
【０００３】
一方、定着器においてジャムが発生した場合、定着器の定着部材（回転体）に未定着トナーが付着する恐れがある。そのため、ユーザにより定着器に詰まった記録材を取り除くジャム処理が行われた後、定着器のクリーニング処理が行われる。このクリーニングの方法の１つとして、定着器のニップ部に記録材を通過させる方法がある。特許文献２では、定着器のニップ部に記録材を通過させる方法でクリーニングを行う画像形成装置において、このクリーニングを行うか否かをユーザに選択させる選択画面をジャム処理後に表示させている。ユーザの選択によってクリーニングを実行するか否かを決定することができる。
【先行技術文献】
【特許文献】
【０００４】
【特許文献１】特開２０１１−５６９４５号公報
【特許文献２】特開２０１１−１２３１５３号公報
【発明の概要】
【発明が解決しようとする課題】
【０００５】
しかしながら、複数の定着器を入れ替えて使用するシステムを採用した場合、ジャムが発生した定着器をクリーニングする処理を行うか否かの選択をする前に、他の定着器と交換されてしまう恐れがある。この選択がされずに取り外された定着器が再度画像形成装置に装着された場合、クリーニングの実行についての選択画面が表示されず、ユーザビリティの低下に繋がる恐れがある。
【０００６】
そこで、本発明の目的は、定着部を入れ替えて使用する場合においても、ユーザビリティを向上させることである。
【課題を解決するための手段】
【０００７】
上記の目的を達成するために、第１の発明は、
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着するためのニップ部を形成する一対の回転体と、前記定着部と入れ替えて装着可能な他の定着部と識別するための識別情報を示す識別部と、を備えた定着部と、
前記定着部でのジャムを検知するジャム検知部と、
前記ジャム検知部が検知したジャムの解消に伴い、記録材を前記ニップ部へ導入することにより前記定着部をクリーニングする処理を実行させるか否かの選択を促す表示を行う表示部と、
前記選択に応じて前記処理を実行するか否かを制御する制御部と、
前記ジャム検知部が検知したジャムの解消に伴い前記選択が行われたか否かを前記識別情報と対応付けて記憶する記憶部と、を有し、
前記記憶部に記憶されている情報が前記画像形成装置の本体に装着されている前記定着部に対して前記選択が行われていないことを示す場合、前記表示部は前記選択を促す表示を行うことを特徴とするものである。
【０００８】
また、第２の発明は、
記録材に画像を形成する画像形成装置と、
前記画像形成装置と通信可能に接続し、情報を記憶する記憶装置と、
を有する画像形成システムであって、
前記画像形成装置は、
記録材に未定着トナー像を形成する画像形成部と、
前記画像形成装置の本体に着脱可能な定着部であって、前記画像形成部により形成された未定着トナー像を記録材に定着するためのニップ部を形成する一対の回転体と、前記定着部と入れ替えて装着可能な他の定着部と識別するための識別情報を示す識別部と、を備える定着部と、
前記定着部でのジャムを検知するジャム検知部と、
前記ジャム検知部が検知したジャムの解消に伴い、記録材を前記ニップ部へ導入することにより前記定着部をクリーニングする処理を実行させるか否かの選択を促す表示を行う表示部と、
前記選択に応じて前記処理を実行するか否かを制御する制御部と、
前記ジャム検知部が検知したジャムの解消に伴い前記選択が行われたか否かを前記識別情報と対応付けて前記記憶装置に記録する記録部と、
を有する画像形成装置であって、
前記記憶装置に記憶されている情報が前記画像形成装置の本体に装着されている前記定着部に対して前記選択が行われていないことを示す場合、前記表示部は前記選択を促す表示を行うことを特徴とするものである。
【発明の効果】
【０００９】
本発明によれば、定着部を入れ替えて使用する場合においても、ユーザビリティを向上させることができる。
【図面の簡単な説明】
【００１０】
【図１】画像形成装置の一例を示す断面図である。
【図２】制御系の構成の一例を示すブロック図である。
【図３】定着部の一例を示す断面図である。
【図４】電源スイッチがオンされてからスタンバイモードとなるまでのフローチャートである。
【図５】前扉が開いている状態からスタンバイモードとなるまでのフローチャートである。
【図６】クリーニングシークエンスのフローチャートである。
【図７】定着部でのジャム発生時の処理に関するフローチャートである。
【図８】（ａ）は定着器のメモリが保持している情報の一例を示す図であり、（ｂ）は定着器のメモリが保持している情報の一例を示す図である。
【図９】画面表示の一例を示す図である。
【図１０】画面表示の一例を示す図である。
【図１１】クリーニングシークエンスのフローチャートである。
【図１２】本体メモリが保持している情報の一例を示す図である。
【図１３】クリーニングシークエンスのフローチャートである。
【図１４】（ａ）は本体メモリが保持している情報の一例を示す図であり、（ｂ）は定着器のメモリが保持している情報の一例を示す図であり、（ｃ）は定着器のメモリが保持している情報の一例を示す図である。
【発明を実施するための形態】
【００１１】
以下に、本発明の好ましい実施の形態を、添付の図面に基づいて詳細に説明する。ただし、この実施形態に記載されている構成要素はあくまで例示であり、本発明を実施形態に記載されたものだけに限定するものではない。
【００１２】
〔実施例１〕
（１．画像形成装置の全体的な構成）
図１は、画像形成装置の一例を示す断面図である。
【００１３】
ここでは、画像形成装置１００の全体的な構成について説明する。
【００１４】
画像形成装置１００は、記録材収納部１０３に収納された記録材１０２を画像形成部３０９（図２）へ搬送し、記録材１０２上にトナー像を形成する。尚、画像形成部３０９の詳細については後述する。
【００１５】
その後画像形成装置１００は、画像形成部３０９にてトナー像が形成された記録材１０２を定着部（第一定着器１５０、第二定着器１７０）へ搬送し、熱と圧力を加えることで記録材１０２上のトナー像を記録材１０２に定着する。尚、定着部の詳細については後述する。
【００１６】
片面印刷の場合、画像形成装置１００は、画像形成部３０９と定着部とを経て画像形成が完了した記録材１０２をフラッパ１３２が排出経路１３９へ導くことにより、画像形成装置１００の外側へ排出する。
【００１７】
一方、両面印刷の場合、画像形成装置１００は、片面の印刷を終えた記録材１０２を反転させて再度画像形成部３０９へと搬送する。具体的には、定着後の記録材１０２をフラッパ１３２が搬送経路１３４へと導き、反転部１３６へ搬送する。反転センサ１３５が記録材１０２の後端を検出すると、フラッパ１３３が記録材１０２の搬送方向を搬送経路１３７に切り替える。画像形成装置１００は、反転させた記録材１０２を搬送経路１３７を経て再び画像形成部３０９と定着部とへ搬送する。
【００１８】
両面の画像形成が完了した記録材１０２は、フラッパ１３２により排出経路１３９へと導かれ、画像形成装置１００の外側へ排出される。
【００１９】
ここでフラッパ１３２は、画像形成部３０９と定着部とを経た記録材１０２を搬送経路１３４へと搬送するか、画像形成装置１００の外側へ排出するかを切り替える切り替え部材である。
【００２０】
また記録材１０２は、画像形成装置１００によって画像が形成されるものであって、たとえば紙やＯＨＰ用シート等が挙げられる。
【００２１】
報知部や選択部、表示部として機能する操作部１８０は、表示画面と選択キーを備える。操作部１８０は、表示画面に画像形成装置１００の状態を表示したり、選択キーにより操作者からの動作の指示を受け付けたりする。
【００２２】
電源スイッチ１０１は、画像形成装置１００を起動する起動スイッチである。
【００２３】
また開閉部としての前扉１４０は、定着器（第一定着器１５０、第二定着器１７０）を装着部（第一装着部１４１、第二装着部１４２）に装着するための画像形成装置１００の本体１００Ａの開口部に設けられた扉である。
【００２４】
また、画像形成装置１００は、前扉１４０が閉じられた状態であることを検知するためのセンサとして、開閉センサ（光学センサ）３０５（図２）を備える。開閉センサ３０５とＣＰＵ３０１（図２）は開閉検知部として機能する。前扉１４０には突起（不図示）が設けてあり、前扉１４０が閉じられることにより画像形成装置１００の本体の受け部（不図示）に差し込まれる。ＣＰＵ３０１は、突起が受け部に差し込まれたことに伴い開閉センサ３０５が出す信号を基に、前扉１４０が閉じられたことを検知する。一方、開閉センサ３０５からの信号が出力されていないときは、ＣＰＵ３０１は前扉１４０が開いていることを検知する。尚、前扉１４０が開いたことに伴い開閉センサ３０５が出す信号を基にＣＰＵ３０１は前扉１４０が開いたことを検知し、一方、開閉センサ３０５からの信号が出力されていないときは、ＣＰＵ３０１は前扉１４０が閉じていることを検知する構成としてもよい。
【００２５】
（２．制御系の構成）
図２は、制御系の構成の一例を示すブロック図である。
【００２６】
画像形成装置１００（図１）は、画像形成装置１００の動作を制御するためのＣＰＵ３０１、ＲＡＭ３０２、ＲＯＭ３０３等を備えている。
【００２７】
制御部として機能するＣＰＵ３０１は、ＲＯＭ３０３に記憶された制御プログラムを実行することにより、画像形成装置１００の基本制御を行う。後述するフローチャートの動作は、ＲＯＭ３０３に記憶された制御プログラムに基づいてＣＰＵ３０１により実行される。ＣＰＵ３０１は、制御プログラムの処理を実行するためのワークエリアとしてＲＡＭ３０２を使用する。
【００２８】
ＣＰＵ３０１は、ＲＡＭ３０２、ＲＯＭ３０３の他、制御対象となる各機構と電気的に接続している。
【００２９】
外部Ｉ／Ｆ部３０４はネットワーク（例えばＬＡＮやＷＡＮなど）を介して接続される外部装置と通信するための通信回路である。外部装置としては、例えば、記憶装置２００の他、パーソナルコンピューター（ＰＣ）や他の画像形成装置等が挙げられる。
【００３０】
記憶装置２００は、外部Ｉ／Ｆ部３０４とネットワークを介して接続する外部装置の一例である。詳細は、実施例３において説明するので、ここでは省略する。
【００３１】
ＣＰＵ３０１は、開閉センサ３０５と接続しており、前扉１４０が閉じられた状態か否かを検知する。
【００３２】
センサ群３０６は、図１に示すセンサ１５３、１５５、１７３、１７５を含む搬送経路上の各センサのことであり、ＣＰＵ３０１が記録材の有無や通過を検知するためのセンサである。
【００３３】
また、ＣＰＵ３０１は、タイマー３０７と接続している。タイマー３０７は時間を測定する。後述するように、ジャムの検知に用いられる。
【００３４】
また、ＣＰＵ３０１は、時計３１３と接続している。
【００３５】
また、ＣＰＵ３０１は、操作部１８０と接続している。ＣＰＵ３０１は、操作部１８０の選択キーを通して操作者から表示画面の表示内容の切り替えや動作の指示を受け付ける。また、ＣＰＵ３０１は、画像形成装置１００の動作状況や選択キーからの入力によって設定された動作モードなどの情報を、操作部１８０の表示画面に表示させる。
【００３６】
またＣＰＵ３０１は、搬送部３０８に接続しており、記録材１０２の搬送を制御する。搬送部３０８は、記録材収納部１０３から搬送経路へと記録材１０２を供給する供給部や、搬送経路の各フラッパ（図１に示すフラッパ１３１、１３２、１３３）等である。
【００３７】
またＣＰＵ３０１は後述する画像形成部３０９に接続しており、画像形成部３０９の制御を行う。
【００３８】
定着器メモリ３１０は、画像形成装置１００に装着されている第一定着器１５０が有するメモリ１５４と画像形成装置１００に装着されている第二定着器１７０が有するメモリ１７４である。ＣＰＵ３０１は、画像形成装置１００に装着されている第一定着器１５０や第二定着器１７０が有するメモリ１５４、１７４に接続しており、メモリ１５４、１７４への書き込みや読み込みを行う。
【００３９】
また、ＣＰＵ３０１は本体メモリ３１２に接続している。本体メモリ３１２は書き換え可能な不揮発性のメモリであり、ＲＡＭ３０２と一体であってもよい。
【００４０】
また、ＣＰＵ３０１は、画像形成装置１００に装着されている第一定着器１５０が有する機構群Ｘに接続しており、第一定着器１５０の温度調整制御（以下、温調とも呼ぶ。）やクリーニングの制御を行う。機構群Ｘは、温度センサ３２０、ヒーター３２１、接離機構３２２、モータ３２３を示す。
【００４１】
ここで、温度センサ３２０は、第一定着器１５０が有する複数の温度センサであり、サーミスタ１５９（図３）と、加圧ベルト１５２のサーミスタ（不図示）とを含む。
【００４２】
ここで、ヒーター３２１は、第一定着器１５０が有する複数のヒーターであり、ハロゲンヒーター１６１（図３）と、加熱ローラ１６３の内部のハロゲンヒーター（不図示）とを含む。
【００４３】
また、ＣＰＵ３０１は、画像形成装置１００に装着されている第二定着器１７０の機構群Ｘに接続しており、第二定着器１７０の温度調整制御（以下、温調とも呼ぶ。）やクリーニングの制御を行う。第二定着器１７０の機構群Ｘについては、第一定着器１５０の機構群Ｘと同様であるから、同じ符号を付すことにより説明を省略する。（上述の機構群Ｘの説明においては、第一定着器１５０を第二定着器１７０に、加圧ベルト１５２を加圧ローラ１７２に、加熱ローラ１６３を加圧ローラ１７２に、それぞれ置き換えて読めばよい。）
本実施例では、各機構をＣＰＵ３０１が制御する。しかしながら、たとえばそれぞれの機構の動作を制御する複数のＣＰＵ回路部と、複数のＣＰＵ回路部に接続して全体を制御するメインのＣＰＵ回路部と、で構成してもよい。
【００４４】
（３．画像形成部）
画像形成装置１００は、画像形成部３０９（図２）として、ステーション１２０、１２１、１２２、１２３と、中間転写体としての中間転写ベルト１１５と、転写部としての転写ローラ１１６とを備える（図１）。
【００４５】
ステーション１２０、１２１、１２２、１２３は、それぞれイエロー、マゼンタ、シアン、ブラックのトナー像を形成して中間転写ベルト１１５に形成する。
【００４６】
ステーション１２０の構成を説明する。像担持体としての感光ドラム１１０は、図１において反時計回りに回転する。帯電部としての一次帯電器１１１は感光ドラム１１０を一様の表面電位に帯電する。露光部としてのレーザユニット１１２は、レーザ光を出力する光源１１３を有しており、感光ドラム１１０上に原稿画像に応じた静電潜像を形成する。現像部としての現像器１１４は、トナーを用いて感光ドラム１１０上に形成された静電潜像を現像してトナー像を形成する。ステーション１２１、１２２、１２３の構成はステーション１２０と同様であるから、説明を省略する。
【００４７】
ステーション１２０、１２１、１２２、１２３が形成したトナー像は、中間転写ベルト１１５上に転写される。転写ローラ１１６は、中間転写ベルト１１５上のトナー像を記録材収納部１０３から搬送される記録材１０２に転写する。
【００４８】
（４．定着部）
（４．１．タンデム定着）
定着部としての第一定着器１５０および第二定着器１７０は、記録材１０２に熱と圧力を加えることで記録材１０２に転写されたトナー像を記録材１０２に定着する（図１）。
【００４９】
第二定着器１７０は、第一定着器１５０よりも記録材１０２の搬送方向に対して下流側に配置されている。第二定着器１７０は、第一定着器１５０が定着した記録材１０２上のトナー像に光沢を付与したり、定着処理に多くの熱量を必要とする坪量の大きな記録材（たとえば厚紙など）に対して第一定着器１５０だけでは不足する熱量を補ったりする目的で使用される。
【００５０】
一方、第一定着器１５０だけで定着が可能な場合には第二定着器１７０を用いなくてよいので、エネルギー消費量低減の目的で記録材１０２は第二定着器１７０を経由せずに搬送経路１３０にて搬送される。例えば、記録材１０２が普通紙や薄紙の場合であって、光沢を多く付加する設定がされていない場合などである。第二定着器１７０に記録材１０２を搬送する（タンデム定着ルート）か、第二定着器１７０を迂回する搬送経路１３０へと記録材１０２を搬送する（バイパスルート）かは、ＣＰＵ３０１がフラッパ１３１を切り替えることで制御する。
【００５１】
（４．２．定着器の構成）
第一定着器１５０および第二定着器１７０は、それぞれ画像形成装置１００に設けられた第一装着部１４１および第二装着部１４２（装着部）に着脱可能に設けられている。第一定着器１５０および第二定着器１７０は、それぞれ以下の構成を有する定着器へ、交換することが可能である。
【００５２】
第一定着器１５０には、メモリ１５４が設置されている。第二定着器１７０には、メモリ１７４が設置されている。詳しくは後述する。
【００５３】
また、ジャム検知部として、第一定着器１５０にはセンサ１５３、１５５が、第二定着器１７０にはセンサ１７３、１７５が設けられている。詳しくは後述する。
【００５４】
図３は定着部の一例を示す断面図である。図３を基に、第一定着器１５０の詳細な構成について説明する。
【００５５】
第一定着器１５０は定着ローラ１５１（定着部材）と加圧ベルト１５２（加圧部材）を有しており、これらの一対の回転体（定着ローラ１５１と加圧ベルト１５２）が記録材１０２上のトナー像を定着処理するためのニップ部を形成する。
【００５６】
定着ローラ１５１は、中空ローラであり、その内部に加熱源としてハロゲンヒーター１６１を内蔵している。温度検知部としてのサーミスタ１５９は定着ローラ１５１の温度を測るセンサである。ＣＰＵ３０１はサーミスタ１５９により検出された温度の情報を基にハロゲンヒーター１６１のＯＮ／ＯＦＦを制御する。これは、定着ローラ１５１の温度を所定の温度に維持、調整するためである。尚、所定の温度には誤差を含む。
【００５７】
加圧ベルト１５２は、３つのローラに支持される無端状のベルトである。加圧ベルト１５２の内周面には、加圧ベルト１５２を定着ローラ１５１に向けて押圧する加圧パッド１６４が設けられている。３つのローラのうちの１つである加熱ローラ１６３は中空ローラであり、その内部に加熱源としてのハロゲンヒーター（不図示）を内蔵しており、加圧ベルトを加熱する。加圧ベルト１５２も定着ローラ１５１と同様に、温度を測るセンサとしてのサーミスタ（不図示）による検出温度情報を基に加熱ローラ１６３のハロゲンヒーター（不図示）をＣＰＵ３０１が制御する。その結果、加圧ベルト１５２の温度が所定の温度に維持、調整される。
【００５８】
定着ローラ１５１は駆動源としてのモータ３２３（図２）により回転駆動され、図３の矢印Ａの方向に記録材１０２を搬送する。加圧ベルト１５２は定着ローラ１５１に従動回転する構成となっている。
【００５９】
また、第一定着器１５０は、定着ローラ１５１と加圧ベルト１５２とが当接してニップ部を形成する当接状態と離間する状態とを取り得るように加圧ベルト１５２を移動させる接離機構３２２（図２）を有する。尚、本実施例では、接離機構３２２は加圧ベルト１５２を移動させるが、定着ローラ１５１を移動させる構成としてもよいし、定着ローラ１５１と加圧ベルト１５２との両方を移動させる構成としてもよい。
【００６０】
一方、第二定着器１７０は、加圧部材として加圧ベルトではなく加圧ローラ１７２を有し、定着ローラ１７１（定着部材）と加圧ローラ１７２（加圧部材）の一対の回転体が記録材１０２上のトナー像を定着処理するためのニップ部を形成する（図１）。加圧ローラ１７２は、中空ローラであり、内部に加熱源としてのハロゲンヒーター（不図示）を内蔵している。また、加圧ローラ１７２は温度センサとしてサーミスタ（不図示）を備える。ＣＰＵ３０１がサーミスタ（不図示）とハロゲンヒーター（不図示）とを制御することにより、加圧ローラ１７２の温度が所定の温度に維持、調整される。
【００６１】
第二定着器１７０のその他の構成は第一定着器１５０と同様であるから、説明は省略する。
【００６２】
また、以下の説明においても、第一定着器１５０を用いて説明するが、特に断りがない限り第二定着器１７０においても同様である。（この場合、第一定着器１５０に係る構成を第二定着器１７０に係る構成に置き換えて読めばよい。）
尚、本実施例では、第一定着器１５０と第二定着器１７０とで加圧側の構成が異なるが、同じ構成としてもよい。すなわち、第一定着器１５０と第二定着器１７０の両方の加圧側の構成が加圧ベルトであってもよいし、第一定着器１５０と第二定着器１７０の両方の加圧側の構成が加圧ローラであってもよい。また、第一定着器１５０の加圧側の構成を加圧ローラとし、第二定着器１７０の加圧側の構成を加圧ベルトとしてもよい。
【００６３】
（５．ジャムの発生時の対応）
次に、画像形成装置１００内でジャムが発生した際の対応について説明する。
【００６４】
ＣＰＵ３０１は、画像形成装置１００内のセンサ群３０６（センサ１５３、１５５を含む。）からの信号により、画像形成装置１００内でのジャムの発生を検知すると、画像形成装置１００の画像形成を停止させる。
【００６５】
ＣＰＵ３０１は、操作部１８０に記録材１０２の滞留箇所を表示することにより、操作者に滞留している記録材１０２を除去（ジャム処理）するように促す。
【００６６】
その後、ＣＰＵ３０１は、画像形成装置１００内のセンサ群３０６（センサ１５３、１５５を含む。）からの信号によって画像形成装置１００に滞留している記録材１０２の有無を確認する。このとき、ＣＰＵ３０１は、画像形成装置１００に記録材１０２が滞留していなければジャム処理が完了したと判定する。
【００６７】
（５．１．定着部でのジャム発生時の対応）
定着部でのジャムとは、画像形成装置１００内でのジャムの発生に伴って、第一定着器１５０及び／又は第二定着器１７０において記録材１０２が滞留している状態を指す。
【００６８】
例えば、第一定着器１５０においてジャムが発生した場合の他、画像形成装置１００内の第一定着器１５０以外の場所で発生したジャムに伴って記録材１０２の搬送が滞り、第一定着器１５０内に記録材１０２が滞留した場合である。また例えば、第一定着器１５０で定着処理中に、操作者による画像形成装置１００の本体１００Ａに備えられた扉（例えば前扉１４０）の開放により、画像形成装置１００の動作が停止し、第一定着器１５０内に記録材１０２が滞留した場合である。尚、第二定着器１７０においても同様である。
【００６９】
以下、第一定着器１５０を例に詳細に説明する。
【００７０】
尚、第二定着器１７０においても同様であるので、説明を省略する。この場合、以下の説明箇所において、第一定着器１５０に係る構成を第二定着器１７０に係る構成に置き換えて読めばよい。
【００７１】
ＣＰＵ３０１は、画像形成装置１００内のセンサ群３０６（センサ１５３、１５５を含む。）からの信号により、画像形成装置１００内でのジャムの発生を検知すると、画像形成装置１００の画像形成を停止させる。このとき、第一定着器１５０に記録材１０２が滞留していると、定着部でのジャムとなる。すなわち、ジャムの発生箇所は第一定着器１５０以外であっても、定着部でのジャムとなる。
【００７２】
尚、以下では、第一定着器１５０における定着部でのジャムを第一定着器１５０でのジャム（又は、定着器でのジャム）と称することがある。
【００７３】
ＣＰＵ３０１は、操作部１８０に記録材１０２の滞留箇所を表示することにより、操作者に滞留している記録材１０２を除去（ジャム処理）するように促す。
【００７４】
ここで、ジャム検知部としてのセンサ１５３、１５５は、第一定着器１５０での記録材１０２の有無を検知するためのセンサである。例えば光学センサが用いられる。ＣＰＵ３０１は、センサ１５３や１５５の信号を受け取り、記録材１０２が第一定着器１５０に滞留していること（定着部でのジャム）を検知する。例えば、記録材１０２の搬送方向上流側のセンサ１５５が記録材１０２の通過を検出してから所定の時間経っても下流側のセンサ１５３が記録材１０２の通過を検出しない場合、ＣＰＵ３０１はセンサ１５５、１５３間に記録材１０２が滞留していると判定する。ここで、所定の時間はタイマー３０７が計測する。
【００７５】
第一定着器１５０に記録材１０２が滞留していた場合、操作者は前扉１４０を開けて、第一定着器１５０を画像形成装置１００から外側へ引き出し、滞留している記録材１０２を除去する（ジャム処理）。そして、操作者は滞留している記録材１０２を除去したら、第一定着器１５０を引き出し時とは逆方向へ移動させて画像形成装置１００の内部にセットし、前扉１４０を閉じる。
【００７６】
ＣＰＵ３０１は、開閉センサ３０５からの信号により、前扉１４０が閉じられたことを検知する。
【００７７】
ＣＰＵ３０１は前扉１４０が閉じられたことを検知したことに伴い、第一定着器１５０のメモリ１５４にアクセスする。これより第一定着器１５０が装着されているかを確認する。すなち、ＣＰＵ３０１は、装着検知部として機能する。ＣＰＵ３０１はメモリ１５４にアクセスできなれば、第一定着器１５０が装着されていないと判定する。
【００７８】
尚、第一定着器１５０が装着されているか否かの判定（確認）方法はこれに限らず、例えば、画像形成装置１００と第一定着器１５０との間の導通状態あるいは非導通状態を検知することにより判定（確認）する構成としてもよい。具体的には、画像形成装置１００に電流計を設け、ＣＰＵ３０１が電流計の出力をモニタすることにより電流が流れていることを検知する構成である。第一定着器１５０が画像形成装置１００に装着されると、電流計と第一定着器１５０は電気的に接続される。これにより電流計は、第一定着器１５０に規定電圧を印加した際に第一定着器１５０に流れる電流を検知できる。第一定着器１５０に規定電圧を印加した際に電流計に電流が流れれば、すなわち画像形成装置１００と第一定着器１５０とが導通状態であるから、ＣＰＵ３０１は第一定着器１５０が装着されていると判定する。一方、第一定着器１５０に規定電圧を印加しても電流計に電流が流れなければ、すなわち画像形成装置１００と第一定着器１５０とが非導通状態であるから、ＣＰＵ３０１は第一定着器１５０が装着されていないと判定する。
【００７９】
次に、ＣＰＵ３０１は、センサ１５３、１５５からの信号によって第一定着器１５０に滞留している記録材１０２の有無を確認する。このとき、ＣＰＵ３０１は、第一定着器１５０に記録材１０２が滞留していなければ第一定着器１５０でのジャムが解消したと判定する。
【００８０】
また、ＣＰＵ３０１は、画像形成装置１００内のセンサ群３０６からの信号によって画像形成装置１００の第一定着器１５０以外の箇所においても、滞留している記録材１０２の有無を確認する。ＣＰＵ３０１は、画像形成装置１００に記録材１０２が滞留していなければジャム処理が完了したと判定する。
【００８１】
第一定着器１５０でのジャム（定着部でのジャム）が発生すると、すなわち第一定着器１５０に記録材１０２が滞留した状態となると、滞留した記録材１０２の未定着トナーが付着し、定着ローラ１５１が汚れてしまう恐れがある。具体的には、記録材１０２が定着ローラ１５１に巻きつくようにして滞留した場合や、操作者が滞留した記録材１０２を取り除くときに記録材１０２が定着ローラ１５１に擦れてしまう場合等にその恐れがある。このような場合には、次に定着処理する記録材１０２に定着ローラ１５１の汚れが転移することにより、出力物の画質が悪化してしまう恐れがある。そのため、クリーニングを行うことが望ましい。
【００８２】
一方で、定着部でのジャムが発生しても、滞留した記録材１０２の画像形成状況や、ジャムの仕方によっては、定着ローラ１５１が汚れない場合もある。例えば滞留した記録材１０２の面積に対して未定着トナー像が形成された面積の割合が小さい場合などである。このような場合にクリーニングは行う必要性が少ない。
【００８３】
滞留した記録材１０２の未定着トナーによって、定着ローラ１５１が汚れたかどうかは、操作者がジャム処理をする際に、目視で確認できる。
【００８４】
そのため、ＣＰＵ３０１は、第一定着器１５０でのジャムが発生した場合、第一定着器１５０でのジャムが解消されたことを確認した後、第一定着器１５０をクリーニングする処理を実行させるか否かの選択を促す表示を操作部１８０にさせる。例えば、図９のような画面を表示する。図９は、画面表示の一例を示す図である。
【００８５】
操作部１８０は、選択キーを備えている。操作者は、選択キーを用いて第一定着器１５０のクリーニング処理を実行させるか否かを選択する。尚、操作部１８０の表示画面をタッチパネル方式としてもよい。具体的には、第一定着器１５０のクリーニング処理を実行させるか否かの選択を促す画面に、図９のように選択肢を表示し、操作者のタッチ操作により選択を受け付ける構成としてもよい。
【００８６】
操作者により、第一定着器１５０のクリーニング処理を実行させることを選択されたら、ＣＰＵ３０１は、第一定着器１５０のクリーニング処理を実行させる。
【００８７】
（６．クリーニング処理）
定着部をクリーニングする処理について、第一定着器１５０を例に説明する。
【００８８】
画像形成装置１００は、記録材１０２を定着ローラ１５１と加圧ベルト１５２が形成するニップ部へ導入させることで第一定着器１５０をクリーニングする。
【００８９】
記録材１０２は、記録材収納部１０３に収納された記録材１０２を用いる。
【００９０】
尚、クリーニング処理において搬送する記録材１０２として、プリント済みの記録材の裏面やクリーニング専用の記録材を用いる構成としてもよい。
【００９１】
（６．１．定着器の温度調整制御）
まず、記録材１０２をニップ部に搬送する前に、第一定着器１５０の温度調整制御（温調）を行う。ＣＰＵ３０１は、定着ローラ１５１の温度が約１７０℃、加圧ベルト１５２の温度が約１００℃となるように温調する。尚、このときこれらの目標温度（本例では約１７０℃、約１００℃）はトナーが固まらない程度の温度であり、予め設定されている（ＲＯＭ３０３に格納されている）。尚、この温度は装置や使用するトナーの構成等に応じて適宜設定すればよい。
【００９２】
具体的な動作の一例を説明する。
【００９３】
まずＣＰＵ３０１は、サーミスタ１５９による検出温度情報に基づいて、ハロゲンヒーター１６１への通電を制御し、定着ローラ１５１の温度を約１６５℃になるまで加熱する。このとき、定着ローラ１５１の回転は停止させた状態である。つまり、ＣＰＵ３０１はモータ３２３を動作させない。また、ＣＰＵ３０１は加熱ローラ１６３の内部のヒーターを動作させない。また、ＣＰＵ３０１は、加圧ベルト１５２が定着ローラ１５１と当接した状態を維持するように、接離機構３２２の動作を制御する。これは定着ローラ１５１の熱を利用して加圧パッド１６４を加熱することが目的である。
【００９４】
ＣＰＵ３０１は、定着ローラ１５１が約１６５℃まで加熱されたら、定着ローラ１５１の回転をさせながら、加熱ローラ１６３の内部のヒーターを制御して加圧ベルト１５２を約１００℃まで昇温させる。つまり、ＣＰＵ３０１は、サーミスタ１５９による検出温度が約１６５℃になったことを受けて、モータ３２３と加熱ローラ１６３の内部のヒーターを動作させる。このとき、ＣＰＵ３０１は、定着ローラ１５１と加圧ベルト１５２とが当接した状態を維持するように接離機構３２２の動作を制御しており、加圧ベルト１５２は従動回転する。
【００９５】
ＣＰＵ３０１は、加圧ベルト１５２が約１００℃まで加熱されたら、接離機構３２２を制御して定着ローラ１５１と加圧ベルト１５２を離間させる。ＣＰＵ３０１は、サーミスタ１５９による検出温度情報に基づいて、ハロゲンヒーター１６１への通電を制御することにより、定着ローラ１５１を約１７０℃に加熱する。このとき、ＣＰＵ３０１は、加圧ベルト１５２が約１００℃を維持するように、加圧ベルト１５２の温度を検知するサーミスタによる検出温度情報に基づいて、ハロゲンヒーター（不図示）への通電を制御する。
【００９６】
（６．２．クリーニング処理）
第一定着器１５０の温調が完了したら、クリーニング処理を開始する。
【００９７】
クリーニング処理において第一定着器１５０に導入する記録材１０２の枚数は、操作部１８０が操作者からの指示を受け付ける。具体的には、操作者により、第一定着器１５０をクリーニングする処理を実行させることが選択されたら、ＣＰＵ３０１は、操作部（表示部）１８０に、クリーニング処理に使用する記録材１０２の種類とその枚数の選択を促す表示をさせる。例えば、図１０のような画面を表示する。図１０は、画面表示の一例を示す図である。
【００９８】
ＣＰＵ３０１は、搬送部３０８を制御して、記録材収納部１０３に収納された記録材１０２を第一定着器１５０のニップ部を通過させ、画像形成装置１００の外側へ排出する。
【００９９】
ＣＰＵ３０１は、クリーニング処理において搬送する記録材１０２上（記録材上）に未定着トナー像を形成しないように画像形成部３０９を制御する。またＣＰＵ３０１は、定着ローラ１５１と加圧ベルト１５２とが当接してニップ部を形成するように接離機構３２２の動作を制御する。またＣＰＵ３０１は、モータ３２３を回転させ、第一定着器１５０に記録材１０２を搬送させる。
【０１００】
これにより、第一定着器１５０でのジャムに伴う定着ローラ１５１の汚れを記録材１０２に回収させることができる。
【０１０１】
尚、このとき定着ローラ１５１上の汚れが主に記録材１０２の裏面（加圧ベルト１５２側の面）に付着する場合がある。第一定着器１５０でのジャムに伴い定着ローラ１５１に付着したトナーは、一旦加圧ベルト１５２側に転移した後、記録材１０２に転移するためである。上述した第一定着器１５０の温調時や、クリーニング処理時などに、加圧ベルト１５２が定着ローラ１５１と当接した状態となることで、定着ローラ１５１に付着していたトナーが、加圧ベルト１５２側に転移する。
【０１０２】
第一定着器１５０を経た記録材１０２は、フラッパ１３２が排出経路１３９へ導くことにより、画像形成装置１００の外側へ排出される。
【０１０３】
以上では、第一定着器１５０を例に説明したが、第二定着器１７０においても同様であるから説明を省略する。
【０１０４】
尚、第一定着器１５０をクリーニングする場合には、第一定着器１５０を経た記録材１０２は第二定着器１７０を通過するタンデム定着ルート、又は、搬送経路１３０を通過するバイパスルートのいずれを通過させてもよい。一方、第二定着器１７０をクリーニングする場合には、記録材１０２はタンデム定着ルートを通過させる。
【０１０５】
本実施例では、いずれの場合もタンデム定着ルートを通過させる。つまり、定着部でのジャムの発生が第一定着器１５０のみであった場合であってクリーニング処理をすることが操作者により選択された場合にもタンデム定着ルートを通過させるクリーニング処理を実行する。
【０１０６】
しかしながら、クリーニング処理における記録材１０２の搬送経路はこれに限らない。例えば、定着部でのジャムの発生箇所に応じてクリーニング処理における記録材１０２の搬送ルートを自動的に変更する構成としてもよい。また、例えば、第一定着器１５０と第二定着器１７０の両方で定着部のジャムが発生した場合、クリーニング処理を実行するか否かの選択を第一定着器１５０と第二定着器１７０のそれぞれについて操作者に選択させる構成とする。そして、操作者の選択に応じて搬送ルートを変更する構成としてもよい。
【０１０７】
（７．スタンバイモード）
スタンバイモードとは、画像形成装置１００が画像形成を開始することが可能な状態であって、操作者からの印刷命令（印刷ジョブ）を待っている状態の期間を指す。受付部としての操作部１８０は、画像形成に用いる記録材１０２の種類（表面性、坪量、サイズ等）の設定や、印刷する部数の設定や、片面印刷／両面印刷の設定などの内容を含む印刷ジョブを受け付ける。
【０１０８】
画像形成装置１００の電源スイッチ１０１がオンされると、画像形成装置１００は画像形成を開始するために、第一定着器１５０と第二定着器１７０、画像形成部３０９などの準備動作（立上げ動作）を行う。例えば、定着ローラ１５１が定着処理に適した温度となるように調整する温度調整制御もその１つである。画像形成装置１００の各機構の準備動作が完了すると、画像形成装置１００が画像形成を開始できる状態となる。画像形成装置１００が画像形成を開始できる状態となっても（すなわち、立上げ動作が完了しても）開始すべき印刷ジョブがない場合や、印刷ジョブの実行終了後などにスタンバイモードへと移行する。
【０１０９】
画像形成装置１００が画像形成を開始することが可能な状態となったことに伴い、ＣＰＵ３０１は、操作部（報知部）１８０に「印刷できます」などの表示を行う。
【０１１０】
本実施例では、スタンバイモードとなっているとき、印刷ジョブを受け付けてからすぐに印刷が開始できるように、第一定着器１５０と第二定着器１７０での温調（例えば定着ローラ１５１や加圧ベルト１５２の温調）を継続させている。
【０１１１】
尚、画像形成装置１００が画像形成を開始できる状態にする立上げ動作中に印刷予約が入った場合は、スタンバイモードに移行させることなく予約された印刷ジョブの処理（画像形成）を直ちに開始させる。
【０１１２】
また、例えば印刷ジョブの実行途中に画像形成装置１００でジャムが発生すると、画像形成装置１００は動作を停止し印刷ジョブを中断する。ジャムの解消後、画像形成装置１００が画像形成を開始できる状態にする立上げ動作が実行される。このように中断したジョブを再開させる場合、スタンバイモードには移行せず、立上げ動作が完了したことに伴い中断したジョブを再開する。
【０１１３】
尚、上述したように、定着部でのジャムであった場合には、クリーニング処理をするか否かを操作者に選択させる。操作者によりクリーニング処理を実行することが選択された場合には立上げ動作の一環として、クリーニング処理も実行させる。
【０１１４】
（８．定着器の載せ替えシステム）
定着器の載せ替えシステムについて説明する。
【０１１５】
画像形成装置１００は、複数の種類やサイズの記録材１０２に印刷が可能である。本実施例の画像形成装置１００では、より高品質な成果物を得るために、画像形成可能な記録材１０２のうち定着する記録材１０２の種類や、操作者の好みに応じて使用目的の異なる定着器を入れ替えて使用することができる。
【０１１６】
例えば、記録材１０２として封筒を使用するときには封筒専用の定着器を用いる。封筒は袋状に綴じられていることから、定着処理時に与える圧により皺が発生しやすい。そのため、定着ローラ１５１と加圧ベルト１５２間の圧力（以下、ニップ圧とも呼ぶ）を封筒に合わせて調整された封筒専用の定着器を用いることが望ましい。
【０１１７】
他の例として、幅サイズ専用の定着器が挙げられる。同じ幅の記録材１０２が連続してニップ部を通過すると、記録材１０２の幅方向の端部（コバ、と称する。）により定着ローラ１５１の表面にコバによる傷（コバ傷）が生じてしまう。このように定着ローラ１５１に無視できないレベルのコバ傷が形成されてしまうと、これよりも幅広な記録材１０２に定着する際、コバ傷に起因して画像のグロスムラが生じてしまう恐れがある。これを防ぐため、同じ構成の定着器を記録材１０２の幅サイズごとに載せ替えて使い分ける場合がある。ここで、幅とは、記録材１０２の搬送方向に垂直な方向（定着ローラ１５１の長手方向）を指す。
【０１１８】
尚、第一定着器１５０を例に説明したが、第二定着器１７０においても同様である。
【０１１９】
このように、本実施例の画像形成装置１００ならば、操作者は、自身が印刷したい記録材１０２の種類や好みに応じた定着器に入れ替えて使用することが可能である。
【０１２０】
定着器を入れ替える場合、操作者は前扉１４０を開けて、既に画像形成装置１００に装着されている定着器を取り出す。そして操作者は取り出した定着器とは別の定着器を画像形成装置１００に装着して、前扉１４０を閉じる。本実施例では、以上のように載せ替えることができる定着器は、第一定着器１５０、第二定着器１７０の双方となっている。
【０１２１】
（９．定着器のメモリ）
本実施例では、定着器の載せ替えシステムを採用していることから、第一定着器１５０に記憶部としてのメモリ１５４を設けており、第二定着器１７０に記憶部としてのメモリ１７４を設けている。メモリ１５４、１７４は、ＥＥＰＲＯＭ、フラッシュメモリなどに代表される書き換え可能な不揮発性のメモリ（記憶部）である。
【０１２２】
また、メモリ１５４、１７４はそれぞれ識別部としても機能する。メモリ１５４は、載せ替え用の定着器、つまり第一定着器１５０として第一装着部１４１に装着可能な他の定着器と区別するために定着器のＩＤ（識別情報）を保持している。メモリ１７４は、載せ替え用の定着器、つまり第二定着器１７０として第二装着部１４２に装着可能な他の定着器と区別するために定着器のＩＤ（識別情報）を保持している。
【０１２３】
さらに、画像形成装置１００に装着された状態にある第一定着器１５０と第二定着器１７０だけでなく、載せ替え用の定着器として画像形成装置１００外に用意されている定着器にも同様に記憶部及び識別部としてのメモリが設けられている。
【０１２４】
ここで、第一定着器１５０と第二定着器１７０を含む定着器群にメモリを設けた理由は、以下の問題を解決するためである。つまり、定着部でのジャムの解消に伴って行われるべきクリーニング処理が行われないまま、定着器が一旦取り出されてしまい、さらにこの取り出された定着器が画像形成装置１００に再度装着された場合に生じる問題を解決するためである。以下では第一定着器１５０を例に説明するが、第二定着器１７０においても同様であるので、説明を省略する。
【０１２５】
具体的には、以下のようなシチュエーションが想定される。載せ替え対象が第一定着器１５０のケースである。
【０１２６】
たとえば、第一定着器１５０として封筒専用ではない定着器Ａが装着されている場合において、印刷完了までに１時間以上かかるような印刷ジョブ（例えば、普通紙への画像形成）を開始する。ところが、この印刷ジョブの開始１５分後などの初期段階で定着器Ａでのジャム（定着部でのジャム）が発生してしまったとする。ジャムの発生に気付いた操作者は操作部１８０の表示に従ってジャム処理を行う。しかしながら、急遽封筒の印刷が必要になった場合、定着器Ａでの印刷ジョブを中断し、封筒の印刷に取り掛かることが想定される。この場合操作者は、封筒専用の定着器Ｂへ入れ替えるために、ジャム処理のタイミングで、クリーニング処理が実行されないまま定着器Ａを取り出す。
【０１２７】
従来、ＣＰＵは定着部でのジャムが発生したことを画像形成装置の本体に設けられたメモリに記憶しておくことで、ジャム処理後にクリーニング処理を実行させるか否かの選択を促す表示をさせている。したがって、ジャム処理のタイミングで定着器Ａから定着器Ｂに入れ替えられてしまうと、ＣＰＵは、載せ替え後の定着器Ｂが装着された状態でクリーニング処理を実行させるか否かの選択を促す表示を行う。そしてＣＰＵは、操作者からの選択に応じてクリーニング処理を実行させるか否かを決定する。つまり、ＣＰＵは定着部でのジャムの解消に伴うクリーニング処理を実行するか否かの決定を終えたと判定してしまうことになる。
【０１２８】
後日、封筒以外の記録材（例えば、普通紙）の印刷をしようとする場合、操作者は再度定着器Ａを装着することになる。クリーニング処理を実行させるか否かの選択が行われていないまま取り出されてしまった定着器Ａの定着ローラはトナーで汚れている恐れがあるにも係わらず、クリーニング処理を実行させるか否かの選択を促す表示がされない。その結果、定着ローラがトナーで汚れたまま印刷が行われてしまう恐れがある。
【０１２９】
定着ローラが汚れている恐れがある場合にクリーニング処理をさせておきたい操作者にとっては、このような状況で再装着された定着器Ａにクリーニング処理を実行させるか否かの選択を促す表示が出ないことは不便である。つまり、このような場合にクリーニング処理を実行させるか否かの選択を促す表示を出さないことは、ユーザビリティの低下に繋がる。
【０１３０】
そのため、本実施例ではメモリ１５４を第一定着器１５０に設けているのである。そして、定着部でのジャムの解消に伴う選択（クリーニング処理を実行するか否かの選択）がされたか否かの情報をメモリ１５４に保持させるようにしている。さらに、メモリ１５４は、載せ替え用の定着器、つまり第一定着器１５０として第一装着部１４１に装着可能な他の定着器と区別するために定着器のＩＤ（識別情報）を保持している。つまり、本実施例では、メモリ１５４は識別部としても機能する。
【０１３１】
本実施例では、クリーニング処理を実行させるか否かの選択が行われたか否かの情報として、図８に示すように、“履歴あり”又は“履歴なし”というジャム履歴の情報を保持させる。
【０１３２】
具体的には、第一定着器１５０でのジャムが発生したことに伴い、ＣＰＵ３０１は、メモリ１５４にジャム履歴を記録する（“履歴あり”）。その後、定着部でのジャムの解消に伴ってクリーニング処理を実行させるか否かの選択を操作部１８０が受け付けたら、ＣＰＵ３０１は、メモリ１５４のジャム履歴をクリアする（“履歴なし”）。つまり、“履歴あり”は、クリーニング処理を実行させるか否かの選択がまだされていないことを示し、“履歴なし”は、クリーニング処理を実行させるか否かの選択が完了したことを示している。
【０１３３】
そして、操作者により第一定着器１５０が再装着されたことに伴い、ＣＰＵ３０１はメモリ１５４からクリーニング処理を実行させるか否かの選択が行われたか否かに対応する情報（つまり、ジャム履歴）を取得する。
【０１３４】
第一定着器１５０が載せ替えられる場合、操作者は前扉１４０を開けて、既に装着されている第一定着器１５０を画像形成装置１００から外側へ引き出し、定着器を載せ替える。そして、第一定着器１５０を引き出し時とは逆方向へ移動させて画像形成装置１００の内部にセットし、前扉１４０を閉じる。
【０１３５】
ＣＰＵ３０１は、開閉センサ３０５からの信号により、前扉１４０が閉じられたことを検知する。ＣＰＵ３０１は前扉１４０が閉じられたことを検知したことに伴い、第一定着器１５０のメモリ１５４にアクセスする。これより第一定着器１５０が装着されているかを確認する。ＣＰＵ３０１はメモリ１５４にアクセスできなれば、第一定着器１５０が装着されていないと判定する。尚、第一定着器１５０が装着されているか否かの判定（確認）方法はこれに限らず、例えば、画像形成装置１００と第一定着器１５０との間の導通状態あるいは非導通状態を検知することにより判定（確認）する構成としてもよい。
【０１３６】
また、電源スイッチ１０１がオフされた状態で載せ替えられた場合、開閉センサ３０５は前扉１４０が閉じられたことを検知できない。そのため、ＣＰＵ３０１は電源スイッチ１０１がオンされたことに伴い、第一定着器１５０のメモリ１５４にアクセスする。これより第一定着器１５０が装着されているかを確認する。ＣＰＵ３０１はメモリ１５４にアクセスできなれば、第一定着器１５０が装着されていないと判定する。
【０１３７】
ＣＰＵ３０１は、メモリ１５４から取得した情報が、クリーニング処理を実行させるか否かの選択がされていないことを示している場合には、印刷を開始する前に、ＣＰＵ３０１はクリーニング処理を実行させるか否かの選択を促す表示を操作部１８０にさせる。例えば、図９のような画面を表示する。
【０１３８】
つまり、本実施例では、操作者によりクリーニング処理を実行させるか否かの選択がされていない第一定着器１５０が画像形成装置１００に装着された場合、前扉１４０が閉じられたことをトリガーとして、操作部１８０にこの選択を促す表示が行われる。また、クリーニング処理を実行させるか否かの選択がされていない第一定着器１５０が画像形成装置１００に装着された状態で電源スイッチ１０１がオンされた場合、操作部１８０にクリーニング処理を実行させるか否かの選択を促す表示が行われる。
【０１３９】
尚、操作部１８０へのクリーニング処理を実行させるか否かの選択を促す表示は、前扉１４０が閉じられた（または電源スイッチ１０１がオンされた）直後である必要はない。前扉１４０が閉じられたことをトリガーとして、操作部１８０にこの選択を促す表示を行う場合に、前扉１４０が閉じられた後、例えば第一定着器１５０に記録材１０２が残留していないかのチェックを行ってから、この選択を促す表示を行うとしてもよい。
【０１４０】
ここで、例えば、「定着器が汚れている恐れがあります。」や「前回ジャムが発生した定着器です。」など、第一定着器１５０の状況を知らせる表示してもよい。操作者が第一定着器１５０において前回装着時にジャムが発生したことを忘れている恐れがあるためである。
【０１４１】
また、画像形成装置１００のように定着部が複数あるタンデム方式の装置の場合、第一定着器１５０と第二定着器１７０のどちらに対するクリーニング処理の画面かが操作者に分かる表示としてもよい。例えば、「第一定着器が汚れている恐れがあります。」といった表示を行う。操作者はクリーニング処理を実行させるか否かの選択を促す画面を見た場合に、定着器を引き出して定着器の汚れの度合いを確認する場合が想定される。このような場合に、第一定着器１５０と第二定着器１７０のどちらを確認すればよいかを操作者に知らせることができ、さらにユーザビリティを向上させることができる。
【０１４２】
尚、本実施例では、ＣＰＵ３０１は前扉１４０が閉じられたことを検知したことに伴い、操作部１８０にクリーニング処理を実行させるか否かの選択を促す表示を行う構成としたが、次の構成としてもよい。つまり、前扉１４０が閉じられたことに応じてではなく、第一定着器１５０が画像形成装置１００に装着されたことに応じて、操作部１８０にこの選択を促す表示をさせる構成としてもよい。例えば、装着検知部として画像形成装置１００に第一定着器１５０が装着されている場合に信号を出力する光学センサを設けておく。操作者により画像形成装置１００の内部に第一定着器１５０がセットされたことに応じて装着検知部としての光学センサが信号を出力する。ＣＰＵ３０１は、光学センサからの信号を受けたことによって、第一定着器１５０が装着されたことを検知する。ＣＰＵ３０１は、光学センサからのメモリ１５４から情報を取得する。ＣＰＵ３０１は、取得した情報がクリーニング処理を実行させるか否かの選択がされていないことを示す場合、操作部１８０にこの選択を促す表示をさせる。
【０１４３】
尚、メモリ１５４が保持する情報として、ジャムの履歴あり（データ有り）の情報がクリアされている状態の場合、ＣＰＵ３０１は、履歴なし（データ無し（データがクリア））の情報を記憶しているものと判定する。
【０１４４】
尚、メモリ１５４への情報の書き込み（記録）方法はこれに限らず、クリーニング処理を実行させるか否かの選択が行われた場合にデータ有り、この選択がされていない場合にデータ無し、となるようにメモリ１５４に書き込むようにしてもよい。また、“選択未（データ有り）”と“選択済み（データ有り）”に対応する情報を記憶させるようにしてもよい。
【０１４５】
（１０．制御フロー）
以上を、図４〜図７のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０１４６】
（１０．１．電源オン時及び前扉クローズ時のシークエンス）
図４は電源スイッチがオンされてからスタンバイモードとなるまでのフローチャートである。
【０１４７】
操作者により電源スイッチ１０１がオンされることに伴い、ＣＰＵ３０１は起動する。ＣＰＵ３０１は第一定着器１５０が画像形成装置１００に装着されているかを判別する（Ｓ１０１）。第一定着器１５０が装着されていると、ＣＰＵ３０１はメモリ１５４にアクセスできるようになる。第一定着器１５０が装着されていない場合はＳ１０１へ戻る。第一定着器１５０が画像形成装置１００に装着されていたら、Ｓ１０２へ移行する。
【０１４８】
ＣＰＵ３０１は第一定着器１５０に図６のクリーニングシークエンスを行わせる（Ｓ１０２）。詳細は後述する。
【０１４９】
Ｓ１０３において、ＣＰＵ３０１は、画像形成装置１００が画像形成を開始できる状態となるまで待機する。ＣＰＵ３０１は、電源スイッチ１０１がオンされてから第一定着器１５０や画像形成部３０９などの各機構に画像形成の開始するための準備動作（立上げ）を実行させている。Ｓ１０２のクリーニングシークエンスもその１つである。
【０１５０】
これらの立上げが完了して画像形成装置１００が画像形成を開始できる状態となったら（Ｓ１０３  Ｙｅｓ）、ＣＰＵ３０１は操作部１８０に「印刷できます」などの表示を行う（Ｓ１０４）。これにより、画像形成装置１００が画像形成を開始できることを操作者に知らせる。そしてスタンバイモードへ移行する。
【０１５１】
図５は前扉が開いている状態からスタンバイモードとなるまでのフローチャートである。
【０１５２】
前扉１４０の開閉状態は、ＣＰＵ３０１が前扉１４０の開閉センサ３０５からの信号を基に検知する。前扉１４０が開いている場合、ＣＰＵ３０１は前扉１４０が閉状態となるのを待つ（Ｓ２０１）。また、前扉１４０が開いている場合、ＣＰＵ３０１は操作部１８０に前扉１４０を閉めるように促す表示をしてもよい。ＣＰＵ３０１は前扉１４０が閉じられたことを検知したら（Ｓ２０１）、Ｓ２０２へ移行する。Ｓ２０２〜Ｓ２０５は、図４のＳ１０１〜Ｓ１０４と同じなので説明は省略する。Ｓ２０５の後、スタンバイモードへ移行する。
【０１５３】
（１０．２．クリーニングシークエンス）
図６は、クリーニングシークエンスのフローチャートである。図６のフローチャートは、Ｓ１０２、Ｓ２０３、後述するＳ４０８のクリーニングシークエンスの詳細を示している。
【０１５４】
まず、ＣＰＵ３０１は画像形成装置１００に装着された第一定着器１５０のメモリ１５４が記憶しているデータを読み出す（Ｓ３０１）。
【０１５５】
メモリ１５４にジャム履歴が保持されていない場合、ＣＰＵ３０１は、クリーニング処理を実行させるか否かの選択を促す表示をさせることなく、クリーニングシークエンスを終了する（Ｓ３０２  Ｎｏ）。メモリ１５４にジャム履歴が保持されていない場合には、既に定着部でのジャムの解消後に、クリーニング処理を実行させるか否かの選択を受付済みであるためである。クリーニング処理ついての選択が不要な場合に、操作者に選択を求めないことにより、操作者の手間を省くことができる。
【０１５６】
一方、メモリ１５４にジャム履歴が保持されていた場合、ＣＰＵ３０１は、Ｓ３０３に移行する（Ｓ３０２）。
【０１５７】
ＣＰＵ３０１は、クリーニング処理を実行させるか否かの選択を促す表示を操作部１８０にさせる（Ｓ３０３）。例えば、図９のような画面を表示する。クリーニング処理を実行させるか否かの選択は、操作部１８０を通して受け付ける。
【０１５８】
Ｓ３０４において、ＣＰＵ３０１は、クリーニング処理を実行させるか否かの選択がされるのを待つ。
【０１５９】
ＣＰＵ３０１は、クリーニング処理を実行させるか否かの選択がされたら（Ｓ３０４  Ｙｅｓ）、メモリ１５４のジャム履歴をクリアする（Ｓ３０５）。これにより、メモリ１５４にクリーニング処理を実行するか否かの選択がされたことを示す情報を保持させることができる。
【０１６０】
操作部１８０においてクリーニング処理を実行することが選択された場合、ＣＰＵ３０１はＳ３０７へ移行する（Ｓ３０６  Ｙｅｓ）。一方、操作部１８０においてクリーニング処理を実行しないことが選択された場合ＣＰＵ３０１は、クリーニング処理を実行させずに、クリーニングシークエンスを終了する（Ｓ３０６  Ｎｏ）。
【０１６１】
Ｓ３０７において、ＣＰＵ３０１は、操作部１８０を介してクリーニング処理に使用する記録材１０２の種類とその枚数について操作者からの指示を受け付ける。このときＣＰＵ３０１は、操作部１８０に例えば、図１０のような画面を表示させる。
【０１６２】
Ｓ３０８において、ＣＰＵ３０１は上述のクリーニング処理を実行させる。すなわち、ＣＰＵ３０１は、記録材１０２を第一定着器１５０のニップ部へ導入させる。ここで、搬送させる記録材１０２の種類と枚数はＳ３０７で受け付けた内容に基づく。
【０１６３】
尚、Ｓ３０５におけるメモリ１５４のジャム履歴をクリアは上述のタイミングに限らない。例えば、操作部１８０においてクリーニング処理を実行することが選択された場合には、Ｓ３０７において実行内容を受け付けたことに応じてメモリ１５４に保持されていたジャム履歴をクリアするようにしてもよい。あるいは、操作部１８０においてクリーニング処理を実行することが選択された場合には、クリーニング処理（Ｓ３０８）の終了に応じて、メモリ１５４に保持されていたジャム履歴をクリアするようにしてもよい。
【０１６４】
（１０．３．ジャム発生時のシークエンス）
図７は、定着部でのジャム発生時の処理に関するフローチャートである。具体的には、画像形成装置１００の印刷ジョブ実行時のフローチャートを示している。
【０１６５】
画像形成装置１００が印刷できる状態であるスタンバイモードにおいて、操作部１８０や、外部Ｉ／Ｆ部３０４を介して外部のＰＣ等から印刷ジョブを受け付ける。すると、ＣＰＵ３０１はステーション１２０〜１２３や第一定着器１５０や第二定着器１７０などの画像形成装置１００の各機構を制御することにより、画像形成装置１００による画像形成動作を開始、つまり、印刷ジョブを開始させる（Ｓ４０１）。このとき、画像形成装置１００は、操作部１８０や外部のＰＣの表示画面に、印刷する記録材１０２の種類を選択するための選択画面を表示し、操作者から印刷する記録材１０２の種類の指示も受け付ける。
【０１６６】
ＣＰＵ３０１は印刷ジョブが終了したら、画像形成装置１００をスタンバイモードへ移行させる（Ｓ４０２）。
【０１６７】
ＣＰＵ３０１は、印刷ジョブが終了していない段階（Ｓ４０２）で、画像形成装置１００内でのジャムを検知すると（Ｓ４０３）、画像形成装置１００による画像形成動作を停止、つまり、印刷ジョブを中断させる（Ｓ４０４）。ここで、ＣＰＵ３０１は、センサ群３０６からの信号により、画像形成装置１００内でのジャムを検知する。
【０１６８】
画像形成装置１００内でのジャムを検知しない場合、ＣＰＵ３０１は印刷ジョブが終わるまで印刷ジョブを続行させる（Ｓ４０２、Ｓ４０３）。
【０１６９】
ＣＰＵ３０１は、ジャムにより記録材１０２が滞留している箇所が第一定着器１５０であった場合（定着部でのジャム）には、Ｓ４０６に移行する（Ｓ４０５  Ｙｅｓ）。ＣＰＵ３０１は、第一定着器１５０のメモリ１５４にジャム履歴を記録する（Ｓ４０６）。
【０１７０】
一方、ジャムに伴って記録材１０２が滞留している箇所が第一定着器１５０（第二定着器１７０）以外の場合には、ＣＰＵ３０１は、ジャム履歴を記録することなく、Ｓ４０７へ移行する（Ｓ４０５  Ｎｏ）。
【０１７１】
尚、ＣＰＵ３０１による第一定着器１５０のメモリ１５４へのジャム履歴の記録は、前扉１４０が開放されることに伴って実行してもよい。前扉１４０が開放されても、第一定着器１５０は画像形成装置１００の本体から取り外されない限り通電した状態となっており、ＣＰＵ３０１はメモリ１５４にジャム履歴を記録することができる。
【０１７２】
前述したように、第一定着器１５０はジャム処理に伴い操作者により交換される恐れがある。そのため、第一定着器１５０でのジャムを検知したら、ジャム処理のために操作者により第一定着器１５０が取り外されるまでにメモリ１５４にジャム履歴を記録しておく。
【０１７３】
ＣＰＵ３０１は、センサ群３０６の信号を基に、ジャムにより画像形成装置１００内に滞留している記録材１０２が取り除かれるまで待機する（Ｓ４０７）。
【０１７４】
ＣＰＵ３０１は、センサ群３０６からの信号を基に、ジャムにより滞留している記録材１０２が取り除かれたことを検知したら、クリーニングシークエンス（Ｓ４０８）に移行する（Ｓ４０７）。
【０１７５】
クリーニングシークエンスＳ４０８は図６に示すフローに対応している。このクリーニングシークエンスＳ４０８では、前述したように、第一定着器１５０のメモリ１５４を読み出す。メモリ１５４の情報に応じてクリーニング処理を実行させるか否かの選択を促す表示をさせるか否かの制御を行う。ここで、メモリ１５４の読出しを実施する理由は、ジャム処理のために前扉１４０を開けたタイミングで第一定着器１５０が交換されている可能性がある為である。
【０１７６】
Ｓ４０９において、ＣＰＵ３０１は、画像形成装置１００が画像形成を開始できる状態となるまで待機する。ＣＰＵ３０１は、ジャムの解消に伴い画像形成装置１００の第一定着器１５０や画像形成部３０９などの各機構に画像形成の再開するための準備動作（立上げ）を実行させている。Ｓ４０８のクリーニングシークエンスもその一つである。
【０１７７】
これらの立上げが完了して画像形成装置１００が画像形成を開始できる状態となったら（Ｓ４０９  Ｙｅｓ）、ＣＰＵ３０１は、画像形成装置１００による画像形成を再開、つまり、中断していた印刷ジョブを再開させる（Ｓ４１０）。
【０１７８】
さらに、ＣＰＵ３０１は、操作部１８０に「印刷中です」などの表示を行うことで、画像形成装置１００が印刷を実行できていることを操作者に知らせる（Ｓ４１１）。
【０１７９】
その後、Ｓ４０２に戻り、ＣＰＵ３０１は印刷ジョブが終わるまで印刷ジョブを続行させる（Ｓ４０２、Ｓ４０３）。
【０１８０】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、電源スイッチ１０１がオンになったことや、前扉１４０が閉じられたことに伴って、都度、第一定着器１５０のメモリ１５４から情報を読み出し、メモリ１５４のジャム履歴の有無を取得する。これによって、ジャムの解消に伴う選択（クリーニング処理を実行するか否かの選択）がされていない第一定着器１５０が画像形成装置１００に装着されても、印刷を開始するより前に、クリーニング処理を実行するか否かの選択を促す表示をすることができる。ゆえに、ユーザビリティを向上させることができる。
【０１８１】
以上の説明において、第一定着器１５０を例に説明したが、第二定着器１７０においても同様である。
【０１８２】
〔実施例２〕
実施例１では、定着部でのジャムの解消に伴う選択（クリーニング処理を実行するか否かの選択）がされたか否かの情報を第一定着器１５０のメモリ１５４に保持させている。そして、ＣＰＵ３０１がその情報に基づいて、クリーニング処理を実行するか否かの選択を促す表示をするか否かの制御をしている。
【０１８３】
実施例２では、定着部でのジャムの解消に伴う選択（クリーニング処理を実行するか否かの選択）がされたか否かの情報を第一定着器１５０のＩＤと対応付けて本体メモリ３１２に保持させる。つまり、本体メモリ３１２が記憶部として機能する。図１２は、本体メモリが保持している情報の一例を示す図である。
【０１８４】
定着部でのジャムの解消に伴う選択（クリーニング処理を実行するか否かの選択）がされたか否かの情報としては、実施例１と同様に“履歴あり”又は“履歴なし”というジャム履歴の情報を保持させる。ジャム履歴“履歴あり”は、クリーニング処理を実行させるか否かの選択がまだされていないことを示し、“履歴なし”は、クリーニング処理を実行させるか否かの選択が完了したことを示している。
【０１８５】
メモリ１５４は、載せ替え用の定着器、つまり第一定着器１５０として第一装着部１４１に装着可能な他の定着器と区別するために定着器のＩＤ（識別情報）を保持しており、識別部として機能する。
【０１８６】
そしてＣＰＵ３０１は、記憶部が記憶している情報が、第一定着器１５０に対して定着部でのジャムの解消に伴う選択がされていないことを示す場合、操作部１８０にクリーニング処理を実行するか否かの選択を促す表示をさせる。
【０１８７】
尚、第二定着器１７０においても同様である。
【０１８８】
その他の構成は実施例１と同様であるので、同じ構成には同符号を付すことにより、詳細な説明を省略する。
【０１８９】
以下、第一定着器１５０を例に説明する。第二定着器１７０についても同様である。
【０１９０】
（１１．制御フロー２）
実施例１から流用する図４、図５、図７のフローチャートと、図１１のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０１９１】
（１１．１．電源オン時及び前扉クローズ時のシークエンス）
電源オン時及び前扉クローズ時のシークエンスは、それぞれ図４、５のフローチャートを流用して説明する。
【０１９２】
本実施例では、Ｓ１０２（図４）及びＳ２０３（図５）において、図１１のクリーニングシークエンスに移行する。
【０１９３】
その他の構成については実施例１と同様であるから説明を省略する。
【０１９４】
（１１．２．クリーニングシークエンス）
図１１は、クリーニングシークエンスのフローチャートである。図１１のフローチャートは、本実施例におけるＳ１０２、Ｓ２０３、Ｓ４０８（図７）のクリーニングシークエンスの詳細を示している。
【０１９５】
まず、ＣＰＵ３０１は画像形成装置１００に装着された第一定着器１５０のメモリ１５４が記憶しているデータを読み出し、第一定着器１５０のＩＤを取得する（Ｓ５０１）。
【０１９６】
Ｓ５０１で取得した第一定着器１５０のＩＤに対応する情報（ジャム履歴の情報）を本体メモリ３１２が記憶している場合、ＣＰＵ３０１は、Ｓ５０４に移行する（Ｓ５０２  Ｙｅｓ）。例えば、本体メモリ３１２が保持する情報が図８に示す内容であった場合であって、Ｓ５０１で取得した第一定着器１５０のＩＤが「ＡＡＡ０００１（封筒用）」であった場合がこれに相当する。
【０１９７】
Ｓ５０４においてＣＰＵ３０１は、本体メモリ３１２が記憶している情報であって第一定着器１５０のＩＤに対応するジャム履歴の情報に基づいて判定する。ＣＰＵ３０１は、本体メモリ３１２が記憶している第一定着器１５０のＩＤに対応するジャム履歴の情報が履歴ありの場合、Ｓ５０５に移行する（Ｓ５０４  Ｙｅｓ）。本体メモリ３１２が記憶している第一定着器１５０のＩＤに対応するジャム履歴の情報が履歴なしの場合、ＣＰＵ３０１は、クリーニング処理を実行させるか否かの選択を促す画面を表示させることなく、クリーニングシークエンスを終了する（Ｓ５０４  Ｎｏ）。
【０１９８】
一方、Ｓ５０１で取得した第一定着器１５０のＩＤに対応する情報（ジャム履歴の情報）を本体メモリ３１２が記憶していない場合、ＣＰＵ３０１は、Ｓ５０３に移行する（Ｓ５０２  Ｎｏ）。例えば、本体メモリ３１２が保持する情報が図１２に示す内容であった場合であって、Ｓ５０１で取得した第一定着器１５０のＩＤが「ＣＣＣ０００３（封筒用）」であった場合がこれに相当する。
【０１９９】
Ｓ５０３において、ＣＰＵ３０１は、Ｓ５０１で取得した第一定着器１５０のＩＤとジャム履歴とを対応付けて本体メモリ３１２に保持させる。ここで、ジャム履歴は履歴ありとし、Ｓ５０５へ移行する。
【０２００】
Ｓ５０５、Ｓ５０６は図６のＳ３０３、Ｓ３０４と同じであるから説明を省略する。
【０２０１】
ＣＰＵ３０１は、クリーニング処理を実行させるか否かの選択がされたら（Ｓ５０６  Ｙｅｓ）、本体メモリ３１２に保持されていた第一定着器１５０のジャム履歴をクリアする（Ｓ３０５）。これにより、本体メモリ３１２に、クリーニング処理を実行させるか否かの選択がされたことを示す情報を保持させることができる。
【０２０２】
Ｓ５０８〜Ｓ５１０は、図６のＳ３０６〜Ｓ３０８と同じであるから説明を省略する。
【０２０３】
ここで、Ｓ５０２でＮｏの場合に、Ｓ５０５にてクリーニング処理を実行させるか否かの選択を促す表示を操作部１８０にさせる理由について説明する。それは、同じ画像形成装置１００を２台（装置Ｐと装置Ｑ）持っているユーザに対応するためである。この場合、操作者が、装置Ｐで使用した第一定着器１５０を装置Ｑに装着して使用する場合がある。つまり装置Ｐおいてクリーニング処理を実行させるか否かの選択されていない第一定着器１５０が、装置Ｑに初めて装着されてしまう恐れがある。Ｓ５０２でＮｏの場合に、Ｓ５０５に移行することで、このような場合にも、操作者にクリーニング処理を実行するか否かの選択を促すことができ、ユーザビリティがさらに向上する。
【０２０４】
また、本実施例では、Ｓ５０３において、ＣＰＵ３０１は、第一定着器１５０のＩＤとジャム履歴とを対応付けて本体メモリ３１２に記録する構成としたが、次のような構成としてもよい。すなわち、第一定着器１５０のＩＤとジャム履歴とを対応付けて本体メモリ３１２に記録する場合に、本体メモリ３１２が有する定着器の情報のうち古い情報を削除する（古い情報に上書きする）構成としてもよい。この構成は、本体メモリ３１２の記憶容量に限りがある場合に有効である。
【０２０５】
具体的には、Ｓ４０６（図７）やＳ５０７において、ＣＰＵ３０１は、ジャム履歴あり又はジャム履歴なしを本体メモリ３１２に書き込むのに併せて、時計３１３の時刻（日時）を定着器のＩＤに対応付けて記録する。
【０２０６】
例えば、本体メモリ３１２が記憶できる領域が２つまでの場合を例にする。本体メモリ３１２には既に定着器Ａ（時刻は２０１５年１月１日１４：００）と定着器Ｂ（時刻は２０１２年１月１日７：００）について記憶しているとする。Ｓ５０１で取得した第一定着器１５０のＩＤが定着器Ｃである場合、ＣＰＵ３０１は、Ｓ５０２からＳ５０３へ移行する。ＣＰＵ３０１は、２つの定着器についての情報のうち、古い方である定着器Ｂについての情報（定着器のＩＤとジャム履歴と時刻）を削除し、定着器Ｃについての情報（定着器のＩＤとジャム履歴と時刻）を本体メモリ３１２に記録する（Ｓ５０３）。
【０２０７】
（１１．３．ジャム発生時のシークエンス）
ジャム発生時のシークエンス時のシークエンスは、図７のフローチャートを流用して説明する。
【０２０８】
本実施例では、Ｓ４０６においてＣＰＵ３０１は、本体メモリ３１２にジャム履歴を履歴ありとして記録する。このときＣＰＵ３０１が記録するジャム履歴は、第一定着器１５０のＩＤに対応するジャム履歴である。第一定着器１５０のＩＤについては、電源スイッチ１０１がＯＮされた場合等に伴うクリーニングシークエンス（図１１）において既に取得されている。
【０２０９】
また、本実施例では、Ｓ４０８において、ＣＰＵ３０１は、図１１のクリーニングシークエンスに移行する。
【０２１０】
その他の構成については実施例１と同様であるから説明を省略する。
【０２１１】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、電源スイッチ１０１がオンになったことや、前扉１４０が閉じられたことに伴って、都度、第一定着器１５０のＩＤを取得し、画像形成装置１００に装着されている第一定着器１５０のＩＤに対応するジャム履歴の有無を取得する。これによって、ジャムの解消に伴う選択（クリーニング処理を実行するか否かの選択）がされていない第一定着器１５０が画像形成装置１００に装着されても、印刷を開始するより前に、クリーニング処理を実行するか否かの選択を促す表示をすることができる。ゆえに、ユーザビリティを向上させることができる。
【０２１２】
以上の説明において、第一定着器１５０を例に説明したが、第二定着器１７０においても同様である。
【０２１３】
尚、本実施例では識別部としてメモリ１５４、１７４を用いて説明したが、本実施例において識別部の構成はこれに限らない。
【０２１４】
例えば、識別部としての抵抗体を第一定着器１５０、第二定着器１７０、載せ替え用の定着器として画像形成装置１００外に用意されている定着器のそれぞれに設ける構成である。
【０２１５】
これらの抵抗体（第一定着器１５０、第二定着器１７０、載せ替え用の定着器に設けられている抵抗体）は、識別情報を示すために互いに異なる抵抗値のものが用いられている。
【０２１６】
ＣＰＵ３０１は、第一定着器１５０が画像形成装置１００に装着された状態で、第一定着器１５０の抵抗体に規定電圧を印加した際に抵抗体に流れる電流値を検出する。
【０２１７】
具体的には、画像形成装置１００は、第一定着器１５０を識別する手段として、抵抗体に規定電圧を印加する電圧印加部と抵抗体に流れる電流を計測する電流計とを有している。ＣＰＵ３０１はこの電流計の出力をモニタすることにより、第一定着器１５０の識別情報を取得する構成となっている。
【０２１８】
オームの法則により規定電圧を印加するとき、抵抗値と電流値は一対一に対応する。ＣＰＵ３０１は、電流計の出力を取得することにより、抵抗体の抵抗値を求めることができる。第一定着器１５０と載せ替え用の定着器は互いに異なる抵抗値の抵抗体を備えているので、ＣＰＵ３０１は、電流計の出力の違いから定着器を識別することができる。すなわち、抵抗値が識別情報を示している。
【０２１９】
この場合、図１１のＳ５０１において、ＣＰＵ３０１は、以上の方法で、第一定着器１５０の抵抗体の抵抗値を取得する。
【０２２０】
尚、本体メモリ３１２への定着器のＩＤの書き込み（記録）方法は、抵抗値を識別情報として記録する方法に限らない。例えば、本体メモリ３１２内に、抵抗体の抵抗値と定着器の名称を対応させる表を保持させておき、定着器の名称（例えば、定着器Ａ）とクリーニング情報（例えば、ジャム履歴の“履歴あり”）と対応付けて記録するようにしてもよい。
【０２２１】
また、ＣＰＵ３０１は、電流計の出力を取得することにより、抵抗体の抵抗値を求めず、抵抗体の抵抗値ごとに異なる電流計の出力値を識別情報として取得してもよい。すなわち、ＣＰＵ３０１は定着器のＩＤとして電流計の出力値を本体メモリ３１２に記録する構成としてもよい。
【０２２２】
尚、第二定着器１７０を識別する手段についても同様である。
【０２２３】
ＣＰＵ３０１は、第一定着器１５０を識別する手段としての電圧印加部と電流計、及び、第二定着器１７０を識別する手段としての電圧印加部と電流計と接続している。第一定着器１５０が画像形成装置１００に装着されると、第一定着器１５０を識別する手段としての電圧印加部と電流計は、第一定着器１５０が有する抵抗体と電気的に接続できるようになる。また、第二定着器１７０が画像形成装置１００に装着されると、第二定着器１７０を識別する手段としての電圧印加部と電流計は、第二定着器１７０が有する抵抗体と電気的に接続できるようになる。
【０２２４】
また、定着器を識別する方法の他の例として、例えば、定着器（第一定着器１５０、第二定着器１７０、載せ替え用の定着器）に識別部として、複数のスイッチを備えるディップスイッチを設ける構成としてもよい。
【０２２５】
具体的には、識別情報として、定着器ごとに異なるスイッチが予めＯＮされた状態となっている（定着器ごとにＯＮ状態のスイッチの位置の組み合わせが異なる）。ＣＰＵ３０１と画像形成装置１００に装着されている定着器のディップスイッチは接続されており、ＯＮ状態のスイッチはＣＰＵ３０１からの入力信号に応答してＣＰＵ３０１へ信号を出力する。ＣＰＵ３０１はＯＮ状態のスイッチからの信号を検出する（定着器のＩＤを取得する）ことにより、定着器を識別する。
【０２２６】
例えば、ＣＰＵ３０１は１番と２番のスイッチの両方に信号を入力させたとする。その結果、１番のスイッチの出力信号を検出した場合は定着器Ａ、２番のスイッチの出力信号を検出した場合は定着器Ｂ、１番と２番のスイッチの両方の出力信号を検出した場合は定着器Ｃと判定する。
【０２２７】
〔実施例３〕
実施例２では、ＣＰＵ３０１は、定着部でのジャムの解消に伴う選択（クリーニング処理を実行するか否かの選択）がされたか否かの情報を本体メモリ３１２に保持させている。
【０２２８】
本実施例では、ＣＰＵ３０１は、定着部でのジャムの解消に伴う選択（クリーニング処理を実行するか否かの選択）がされたか否かの情報を記憶装置２００に保持させる（画像形成システム）。
【０２２９】
本実施例では、実施例２との差分についてのみ説明する。
【０２３０】
図２に示す記憶装置２００は、ネットワークケーブルを介して画像形成装置１００と通信可能に接続している。記憶装置２００は、書き換え可能な不揮発性のメモリと、画像形成装置１００の外部Ｉ／Ｆ部３０４とネットワークを介して接続する通信回路と、を有するサーバーコンピューターであり、画像形成装置１００の情報を記憶する記憶サーバーとして機能する。尚、記憶装置２００は、記憶装置２００を制御するＣＰＵと、ＣＰＵが実行する制御プログラムを記憶するＲＯＭと、を有する。記憶装置２００のＣＰＵは、ネットワークを介して通信回路が受け取る画像形成装置１００の情報をメモリに記録したり、ネットワークを介して通信回路が受け付ける画像形成装置１００の指示に応じてメモリの情報を画像形成装置１００に提供したりする。
【０２３１】
尚、記憶装置２００と画像形成装置１００はネットワークケーブルを介して接続するとしたが、無線通信により接続する構成としてもよい。
【０２３２】
本実施例では、ＣＰＵ３０１が記録部として機能する。
【０２３３】
ＣＰＵ３０１は、ネットワークを介して外部Ｉ／Ｆ部３０４と接続している記憶装置２００のメモリに、定着部でのジャムの解消に伴う選択（クリーニング処理を実行するか否かの選択）がされたか否かの情報を第一定着器１５０のＩＤと対応付けて記憶させる。またＣＰＵ３０１は、記憶装置２００のメモリが記憶している情報を取得する。ＣＰＵ３０１は、記憶装置２００から取得する第一定着器１５０のＩＤに対応した情報がクリーニング処理を実行するか否かの選択がされていないことを示している場合には、上述の実施例２と同様に、その選択を促す表示を操作部１８０の画面に表示させる。
【０２３４】
尚、具体的な動作は、上述の実施例２と同様であるから説明を省略する。上述の実施例２の説明において、本体メモリ３１２を記憶装置２００に置き換えて読めばよい。すなわち、実施例１から流用した図４、図５、図７のフローチャートと、図１１のフローチャートを用いた説明についても、本体メモリ３１２を記憶装置２００に置き換えて読めばよい。
【０２３５】
この構成においても、定着部でのジャムの解消に伴う選択がされていない第一定着器１５０が画像形成装置１００に装着されても、クリーニング処理を実行するか否かの選択を促す画面を操作部１８０の画面に表示させることができる。そのため、ユーザビリティを向上させることができる。
【０２３６】
また、記憶装置２００は、第一定着器１５０を装着可能な複数の画像形成装置とネットワークを介して接続する構成としてもよい。複数の画像形成装置の構成は、上述の画像形成装置１００と同様であるから説明を省略する。
【０２３７】
この構成においては、電源スイッチ１０１がＯＦＦの状態で、操作者が別の画像形成装置にてクリーニング処理を実行するか否かの選択が完了している定着器を画像形成装置１００の第一定着器１５０として装着したとする。その後電源スイッチ１０１をＯＮされた場合、図４のフローにおけるクリーニングシークエンス（Ｓ１０２）において、Ｓ５０２にてＹｅｓ、Ｓ５０４にてＮｏのフローが実行される（図１１）。つまり、電源スイッチ１０１をオンにしてから画像形成装置１００が画像形成を開始可能となるまでの間に、操作部１８０に画面を表示してクリーニング処理を実行するか否かの選択を促すことがない。結果、不必要な選択をユーザに求めないので、ユーザビリティをさらに向上させることができる。
【０２３８】
尚、第一定着器１５０を例に説明したが、第二定着器１７０においても同様であるから、説明を省略する。
【０２３９】
〔実施例４〕
実施例１では、定着部でのジャムの解消に伴う選択（クリーニング処理を実行するか否かの選択）がされたか否かの情報を第一定着器１５０のメモリ１５４に保持させている。そして、ＣＰＵ３０１がその情報に基づいて、クリーニング処理を実行するか否かの選択を促す表示をするか否かの制御をしている。
【０２４０】
実施例２では、定着部でのジャムの解消に伴う選択（クリーニング処理を実行するか否かの選択）がされたか否かの情報を第一定着器１５０のＩＤと対応付けて本体メモリ３１２又は記憶装置２００に保持させている。そして、ＣＰＵ３０１がその情報に基づいて、クリーニング処理を実行するか否かの選択を促す表示をするか否かの制御をしている。
【０２４１】
本実施例では、定着部でのジャムの解消に伴う選択（クリーニング処理を実行するか否かの選択）がされたか否かの情報を第一定着器１５０のメモリ１５４と、本体メモリ３１２の両方に保持させる。
【０２４２】
実施例１との差分を中心に、より詳細に説明する。記憶部としての第一定着器１５０のメモリ１５４は、定着部でのジャムの解消に伴う選択（クリーニング処理を実行するか否かの選択）がされたか否かの情報と、その情報がメモリ１５４に記録された時刻（日時）の情報（時刻情報）とを保持する。ここで、時刻の情報は、定着部でのジャムの解消に伴う選択（クリーニング処理を実行するか否かの選択）がされたか否かの情報をＣＰＵ３０１がメモリ１５４に記録した時に時計３１３が出力する時刻を、ＣＰＵ３０１がメモリ１５４に記録する。さらに、メモリ１５４には、他の定着器と識別するための識別情報として、定着器のＩＤを保持しており、メモリ１５４は識別部としても機能する。
【０２４３】
一方、情報を記憶可能なもう１つの記憶部（メモリ１５４と区別するために、本体記憶部と称する場合がある。）として、画像形成装置１００に設けられている本体メモリ３１２が機能する。本体メモリ３１２には、メモリ１５４に記録するのと同じ内容を示す定着部でのジャムの解消に伴う選択がされたか否かの情報と、その情報がメモリ１５４に記録された時刻情報と、第一定着器１５０の定着器のＩＤと、を対応付けて保持させるようにする。
【０２４４】
定着部でのジャムの解消に伴う選択（クリーニング処理を実行するか否かの選択）がされたか否かの情報としては、実施例１と同様に“履歴あり”又は“履歴なし”というジャム履歴の情報を保持させる。ジャム履歴“履歴あり”は、クリーニング処理を実行させるか否かの選択がまだされていないことを示し、“履歴なし”は、クリーニング処理を実行させるか否かの選択が完了したことを示している。
【０２４５】
図１４（ａ）は本体メモリが保持している情報の一例を示す図である。図１４（ｂ）、（ｃ）は、それぞれ、定着器のメモリが保持している情報の一例を示す図である。
【０２４６】
時刻の情報は、メモリ１５４が記憶している定着部でのジャムの解消に伴う選択がされたか否かの情報と、本体メモリ３１２が記憶している定着部でのジャムの解消に伴う選択がされたか否かの情報のうち、どちらの情報に基づくかを判定する為に記憶させる。ＣＰＵ３０１は、本体メモリ３１２とメモリ１５４が保持している情報のうち、より新しい方の情報に基づいて、クリーニング処理を実行するか否かを制御する。尚、新しさが同じ場合には、どちらの情報に基づいてもよい。
【０２４７】
つまりＣＰＵ３０１は、これらの記憶部が記憶している情報が、第一定着器１５０に対して定着部でのジャムの解消に伴う選択がされていないことを示す場合、操作部１８０にクリーニング処理を実行するか否かの選択を促す表示をさせる。
【０２４８】
尚、第二定着器１７０においても同様である。また、以下でも、第一定着器１５０を例に説明するが、第二定着器１７０についても同様である。
【０２４９】
（１２．制御フロー３）
実施例１から流用する図４、図５、図７のフローチャートと、図１３のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０２５０】
（１２．１．電源オン時及び前扉クローズ時のシークエンス）
電源オン時及び前扉クローズ時のシークエンスは、それぞれ図４、５のフローチャートを流用して説明する。
【０２５１】
本実施例では、Ｓ１０２（図４）及びＳ２０３（図５）において、図１３のクリーニングシークエンスに移行する。
【０２５２】
その他の構成については実施例１と同様であるから説明を省略する。
【０２５３】
（１２．２．クリーニングシークエンス）
図１３は、クリーニングシークエンスのフローチャートである。図１３のフローチャートは、本実施例におけるＳ１０２（図４）、Ｓ２０３（図５）、Ｓ４０８（図７）のクリーニングシークエンスの詳細を示している。
【０２５４】
まず、ＣＰＵ３０１は画像形成装置１００に装着された第一定着器１５０のメモリ１５４が記憶しているデータを読み出す（Ｓ６０１）。
【０２５５】
Ｓ６０２において、ＣＰＵ３０１は、Ｓ６０１で取得した第一定着器１５０のＩＤに対応する情報（ジャム履歴の情報）を本体メモリ３１２が保持しているかを判定する。具体的には、ＣＰＵ３０１は、Ｓ３０１で読み出した第一定着器１５０のＩＤに一致するデータを本体メモリ３１２においてサーチし、第一定着器１５０のＩＤに一致するデータの有無を判定する。
【０２５６】
Ｓ６０１で読み出した第一定着器１５０のＩＤのデータを本体メモリ３１２が保持している場合、ＣＰＵ３０１は、Ｓ６０３に移行する（Ｓ６０２  Ｙｅｓ）。
【０２５７】
一方、Ｓ６０１で読み出した第一定着器１５０のＩＤを本体メモリ３１２が保持していない場合、ＣＰＵ３０１は、Ｓ６０６に移行する（Ｓ６０２  Ｎｏ）。
【０２５８】
Ｓ６０２でＹｅｓの場合、ＣＰＵ３０１はメモリ１５４のジャム履歴と本体メモリ３１２のジャム履歴のどちらの情報に基づくかを判定する（Ｓ６０３）。具体的には、ＣＰＵ３０１は、メモリ１５４が保持している時刻情報が第一定着器１５０のＩＤに対応付けて本体メモリ３１２に記録されている時刻情報より新しい時刻を示しているか否かを判定する。
【０２５９】
メモリ１５４が保持している時刻情報よりも、第一定着器１５０のＩＤに対応付けて本体メモリ３１２に記録されている時刻情報の方が新しい時刻を示している場合、ＣＰＵ３０１は、Ｓ６０４に移行する（Ｓ６０３  Ｎｏ）。また、メモリ１５４が保持している時刻情報と第一定着器１５０のＩＤに対応付けて本体メモリ３１２に記録されている時刻情報が同じ時刻を示している場合も、ＣＰＵ３０１は、Ｓ６０４に移行する（Ｓ６０３  Ｎｏ）。例えば、本体メモリ３１２の保持内容が図１４（ａ）であって、メモリ１５４の保持内容が図１４（ｂ）の場合、図１４（ａ）の保持内容（１）の時刻と図１４（ｂ）の時刻が同じので、ＣＰＵ３０１はＳ６０３においてＮｏと判定する。
【０２６０】
Ｓ６０３においてＮｏであった場合、ＣＰＵ３０１は本体メモリ３１２のジャム履歴に基づく判定をする（Ｓ６０４）。すなわち、本体メモリ３１２に第一定着器１５０のＩＤについてのジャム履歴が履歴ありとして保持されていた場合、ＣＰＵ３０１はＳ６０７に移行する。本体メモリ３１２に第一定着器１５０のＩＤについてのジャム履歴が保持されていない場合、ＣＰＵ３０１はＳ６０５に移行する。
【０２６１】
Ｓ６０５において、ＣＰＵ３０１は、メモリ１５４と本体メモリ３１２のジャム履歴をクリアされた状態にして、クリーニングシークエンスを終了する。これにより、メモリ１５４と本体メモリ３１２に、クリーニング処理を実行させるか否かの選択がされたことを示す情報を、を保持させることができる。このときＣＰＵ３０１がクリア状態にするジャム履歴は、第一定着器１５０のＩＤに対応するジャム履歴である。さらに、Ｓ６０５の処理を完了した時刻をメモリ１５４と本体メモリ３１２に第一定着器１５０のＩＤに対応付けて記録する。メモリ１５４と本体メモリ３１２の情報をそれぞれ最新状態として記録するためである。
【０２６２】
一方メモリ１５４が保持している時刻情報が、その第一定着器１５０のＩＤに対応付けて本体メモリ３１２に記録されている時刻情報よりも、新しい時刻を示している場合、ＣＰＵ３０１は、Ｓ６０６に移行する（Ｓ６０３  Ｙｅｓ）。例えば、本体メモリ３１２の保持内容が図１４（ａ）であって、メモリ１５４の保持内容が図１４（ｃ）の場合、これに相当する。（図１４（ａ）の保持内容（１）の時刻より図１４（ｃ）の時刻の方が新しい。）
Ｓ６０２においてＮｏであった場合及びＳ６０３においてＹｅｓであった場合、ＣＰＵ３０１は第一定着器１５０のメモリ１５４のジャム履歴に基づく判定をする。すなわち、メモリ１５４に第一定着器１５０のジャム履歴が履歴ありとして保持されていた場合、ＣＰＵ３０１はＳ６０７に移行する（Ｓ６０６）。一方、メモリ１５４に第一定着器１５０のジャム履歴が保持されていない（履歴なし）場合、ＣＰＵ３０１はＳ６０５に移行する（Ｓ６０６）。
【０２６３】
ここで、Ｓ６０１におけるメモリ１５４の読み出しと、本体メモリ３１２の読み出しは、複数の段階に分けてもよい。例えば、Ｓ６０２、Ｓ６０３、Ｓ６０４、Ｓ６０６の処理毎にＣＰＵ３０１が必要な情報をメモリ１５４や本体メモリ３１２に読み出しに行く構成としてもよい。
【０２６４】
Ｓ６０７、Ｓ６０８は、それぞれＳ３０３、Ｓ３０４（図６）と同様である。
【０２６５】
Ｓ６０９において、ＣＰＵ３０１は、メモリ１５４と本体メモリ３１２のジャム履歴をクリアされた状態にする。このときＣＰＵ３０１がクリア状態にするジャム履歴は、第一定着器１５０のＩＤに対応するジャム履歴である。さらに、Ｓ６０５の処理を完了した時刻をメモリ１５４と本体メモリ３１２に第一定着器１５０のＩＤに対応付けて記録する。
【０２６６】
Ｓ６１０〜Ｓ６１２は、それぞれＳ３０６〜Ｓ３０８（図６）と同様である。
【０２６７】
尚、Ｓ６０５、Ｓ６０９において、本体メモリ３１２が第一定着器１５０のＩＤについての情報を保持していない場合（例えば、Ｓ６０２でＮｏのフローを経た場合）は、ＣＰＵ３０１は、第一定着器１５０のＩＤを記録する。そしてＣＰＵ３０１は、記録したＩＤに対応付けたジャム履歴をクリア状態で本体メモリ３１２に保持させる。
【０２６８】
尚、Ｓ６０５、Ｓ６０９において、本体メモリ３１２の第一定着器１５０のＩＤに対応するジャム履歴が既にクリアされた状態の場合（例えば、６０４でＮｏのフローを経た場合）は、ＣＰＵ３０１は、変更を加えないとしてもよい。
【０２６９】
尚、Ｓ６０５、Ｓ６０９において記録する時刻は、Ｓ６０５、Ｓ６０９の処理を完了した時刻に限らない。例えば、Ｓ６０５、Ｓ６０９の処理を開始した時刻であってもよい。
【０２７０】
また、本実施例では、メモリ１５４が保持している時刻情報と第一定着器１５０のＩＤに対応付けて本体メモリ３１２に記録されている時刻情報が同じ時刻を示す場合、本体メモリ３１２のジャム履歴に基づく判定をした（図１３のＳ６０３  Ｎｏ、Ｓ６０４）。しかしながら、メモリ１５４が保持している時刻情報と第一定着器１５０のＩＤに対応付けて本体メモリ３１２に記録されている時刻情報が同じ時刻を示している場合、メモリ１５４のジャム履歴に基づいて判定する構成としてもよい。その場合、Ｓ６０３において、メモリ１５４が保持している時刻情報と第一定着器１５０のＩＤに対応付けて本体メモリ３１２に記録されている時刻情報が同じ時刻を示している場合、ＣＰＵ３０１は、Ｓ６０６に移行する。
【０２７１】
（１２．３．ジャム発生時のシークエンス）
ジャム発生時のシークエンス時のシークエンスは、図７のフローチャートを流用して説明する。
【０２７２】
本実施例では、Ｓ４０６においてＣＰＵ３０１は、第一定着器１５０のメモリ１５４と本体メモリ３１２にジャム履歴を履歴ありとして記録する（Ｓ４０６）。このときＣＰＵ３０１が記録するジャム履歴は、第一定着器１５０のＩＤに対応するジャム履歴である。さらに、Ｓ４０６の処理を完了した時刻をメモリ１５４と本体メモリ３１２に第一定着器１５０のＩＤに対応付けて記録する。
【０２７３】
また、本実施例では、Ｓ４０８において、図１３のクリーニングシークエンスに移行する。
【０２７４】
その他の構成については実施例１と同様であるから説明を省略する。
【０２７５】
尚、以上の説明では、メモリ１５４と本体メモリ３１２のどちらのジャム履歴の有無に基づくかを判定するための情報として、メモリ１５４と本体メモリ３１２に時刻情報を保持させた。しかし、メモリ１５４と本体メモリ３１２のどちらに基づくかを判定するための情報は時刻に限らない。例えば、時刻情報の代わりに、メモリ１５４に情報が記録された累積回数を示す情報（回数情報）をメモリ１５４と本体メモリ３１２に保持させる構成としてもよい。この場合、ＣＰＵ３０１は、ジャム履歴（履歴あり／履歴なし）をメモリ１５４に記録する度に、メモリ１５４が保持する回数情報の回数の値を更新して記録する。そしてＣＰＵ３０１は、画像形成装置１００に装着された第一定着器１５０のメモリ１５４が記憶している回数情報と、本体メモリ３１２が記憶している回数情報とを比較し、どちらの回数情報の累積回数が多いかを判定する（Ｓ６０３）。
【０２７６】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、電源スイッチ１０１がオンになったことや、前扉１４０が閉じられたことに伴って、都度、第一定着器１５０のメモリ１５４から情報を読み出し、本体メモリ３１２とメモリ１５４のジャム履歴のうち新しい方のジャム履歴有無に基づく制御する。これによって、ジャムの解消に伴う選択（クリーニング処理を実行するか否かの選択）がされていない第一定着器１５０が画像形成装置１００に装着されても、印刷を開始するより前に、クリーニング処理を実行するか否かの選択を促す表示をすることができる。ゆえに、ユーザビリティを向上させることができる。
【０２７７】
以上の説明において、第一定着器１５０を例に説明したが、第二定着器１７０においても同様である。
【０２７８】
〔変形例１〕
実施例１を例に説明する。
【０２７９】
以上の説明では、ＣＰＵ３０１は、メモリ１５４が記憶する情報がクリーニング処理を実行するか否かの選択がされたことを示す場合には、クリーニング処理を実行するか否かの選択を促す表示をさせることなくクリーニングシークエンスを終了するとした。しかしながら、後述のような例外処理を実行する構成としてもよい。つまり、例外処理を実行する場合があっても、次のことを意味する。つまり、「記憶部に記憶されている情報が画像形成装置の本体に装着されている定着部に対してクリーニング処理を実行するか否かの選択が行われたことを示す場合、表示部は前記選択を促す表示を行うことなく、報知部は報知を行う」ことを意味する。
【０２８０】
具体的には、ＣＰＵ３０１は、既に選択を受け付けた第一定着器１５０が装着された場合であっても、例外的に、稀に、クリーニング処理を実行するか否かの選択を促す表示を操作部１８０にさせる構成としてもよい。
【０２８１】
例えば、複数回の定着処理を経て蓄積された定着ローラ１５１のトナー汚れを除去する目的で、次の構成とする。具体的には、ＣＰＵ３０１はクリーニングシークエンスの累積の実行回数１００回に１回の割合で、メモリ１５４がジャム履歴を保持していない場合にも操作部１８０にクリーニング処理を実行するか否かの選択を促す画面を表示させる。この場合、ＣＰＵ３０１は、第一定着器１５０でのクリーニングシークエンスの累積の実行回数をメモリ１５４に記録し、この記録された累積の実行回数に基づいて例外処理を実行する。
【０２８２】
ただし、メモリ１５４がクリーニング処理を実行するか否かの選択がされたことを示す場合にもこの選択を促す画面を表示させると、電源スイッチ１０１をオンにしてから画像形成装置１００が画像形成を開始可能となるまでの間に操作者が行う操作が増える。つまり、手間がかかる。そのため、本変形例は例外的に実行するものとし、上述のようにメモリ１５４の情報がクリーニング処理を実行するか否かの選択が行われたことを示す場合には、この選択を促す表示をさせずにクリーニングシークエンスを終える構成とする方がより好ましい。
【０２８３】
尚、第一定着器１５０を例に説明したが、第二定着器１７０においても同様である。
【０２８４】
また、実施例２〜４についても同様である。
【０２８５】
〔変形例２〕
また、以上では、第一定着器１５０と第二定着器１７０を備える画像形成装置１００を例に説明した（タンデム定着）。しかし画像形成装置１００は第一定着器１５０のみを有する構成としてもよい。
【０２８６】
〔変形例３〕
また、以上では、画像形成装置１００は、イエロー、マゼンタ、シアン、ブラックのトナー像を形成する像形成部（ステーション１２０〜１２３）を有するカラーの画像形成装置を例に説明したが、単色の画像形成装置であってもよい。例えば、ブラックのトナー画像を形成するモノクロの画像形成装置などである。
【０２８７】
〔変形例４〕
また、以上の説明では、画像形成装置１００は、中間転写体としての中間転写ベルト１１５を有する構成（中間転写方式）としたが、以下の構成（直接転写方式）としてもよい。
【０２８８】
この場合、画像形成部３０９として、像形成部（ステーション１２０〜１２３）と、転写部として機能する転写搬送ベルトとを備える。像形成部（ステーション１２０〜１２３）は、転写搬送ベルトと当接するように設けられている。画像形成装置１００は、記録材１０２を、記録材収納部１０３から転写搬送ベルトへ搬送する。転写搬送ベルトは、記録材１０２と静電吸着しながら記録材１０２を搬送するベルトであって、転写搬送ベルトを介して像形成部と対向する位置（ベルトの内周側）に転写ローラを備える。転写ローラは、像担持体上に形成されたトナー像を、転写搬送ベルトにより搬送される記録材１０２に転写する。これにより、記録材１０２にトナー像（未定着）を形成する。
【符号の説明】
【０２８９】
１００  画像形成装置
１００Ａ  本体
１０２  記録材
１０３  記録材収納部
１４１  第一装着部
１４２  第二装着部
１５０  第一定着器
１５１  定着ローラ
１５３  センサ
１５４  メモリ
１５５  センサ
１７０  第二定着器
１７１  定着ローラ
１７３  センサ
１７４  メモリ
１７５  センサ
１８０  操作部
３０１  ＣＰＵ
３０９  画像形成部
３１２  本体メモリ
２００  記憶装置
【図１】
0006516620.tif 000002
【図２】
0006516620.tif 000003
【図３】
0006516620.tif 000004
【図４】
0006516620.tif 000005
【図５】
0006516620.tif 000006
【図６】
0006516620.tif 000007
【図７】
0006516620.tif 000008
【図８】
0006516620.tif 000009
【図９】
0006516620.tif 000010
【図１０】
0006516620.tif 000011
【図１１】
0006516620.tif 000012
【図１２】
0006516620.tif 000013
【図１３】
0006516620.tif 000014
【図１４】
0006516620.tif 000015